(57)【要約】【課題】複数の移動局装置と基地局装置から構成される無線通信システムにおいて、上りリンクの参照信号を効率的に制御し、干渉を低減しつつ、移動局装置が早急に信号の送信を行なう。【解決手段】移動局装置および基地局装置から構成される無線通信システムに適用され、基地局装置に対して、複数種類の接続状態のうちいずれか一つの接続状態を取る移動局装置であって、基地局装置に対する接続状態を判断する接続状態判断部４０３ａと、各接続状態のそれぞれで使用する参照信号のパラメータを設定する無線パラメータ制御部４０５と、接続状態判断部４０３ａで判断された接続状態に応じて無線パラメータ制御部４０５において設定された参照信号のパラメータを選択する参照信号選択部４０３ｂと、参照信号選択部４０３ｂにおいて選択された参照信号を基地局装置に対して送信する送信処理部４０７と、を備える。【選択図】図７
2011142498.tif 000002
【特許請求の範囲】
【請求項１】
移動局装置および基地局装置から構成される無線通信システムに適用され、前記基地局装置に対して、複数種類の接続状態のうちいずれか一つの接続状態を取る移動局装置であって、
前記基地局装置に対する接続状態を判断する接続状態判断部と、
前記各接続状態のそれぞれで使用する参照信号のパラメータを設定する無線パラメータ制御部と、
前記接続状態判断部で判断された接続状態に応じて前記無線パラメータ制御部において設定された参照信号のパラメータを選択する参照信号選択部と、
前記参照信号選択部において選択された参照信号を前記基地局装置に対して送信する送信処理部と、を備えることを特徴とする移動局装置。
【請求項２】
前記接続状態は、前記基地局装置との同期が維持され信号の送信用の無線リソースの割り当てが行なわれる第１の接続状態、または前記基地局装置との同期が維持され信号の送信用の無線リソースの割り当てが行なわれない第２の接続状態のいずれか一方であることを特徴とする請求項１記載の移動局装置。
【請求項３】
前記無線パラメータ制御部は、前記第１の接続状態で使用する参照信号および前記第２の接続状態で使用する参照信号に対して、異なる送信周期のパラメータを設定することを特徴とする請求項２記載の移動局装置。
【請求項４】
前記無線パラメータ制御部は、前記第１の接続状態で使用する参照信号の送信周期よりも長い送信周期のパラメータを、前記第２の接続状態で使用する参照信号に対して設定することを特徴とする請求項３記載の移動局装置。
【請求項５】
前記無線パラメータ制御部は、前記第１の接続状態で使用する参照信号の送信周期を間引いた送信周期を、前記第２の接続状態で使用する参照信号に対して設定することを特徴とする請求項３記載の移動局装置。
【請求項６】
前記接続状態判断部は、前記第１の接続状態において無線リソースの割り当てが一定期間行なわれなかった場合、前記第２の接続状態であると判断することを特徴とする請求項２記載の移動局装置。
【請求項７】
前記接続状態判断部は、予め定められた周波数帯域幅を有する上りリンクの要素周波数帯域毎に、前記接続状態を判断することを特徴とする請求項２記載の移動局装置。
【請求項８】
移動局装置および基地局装置から構成される無線通信システムに適用され、前記基地局装置に対して、複数種類の接続状態のうちいずれか一つの接続状態を取る移動局装置の通信方法であって、
接続状態判断部において、前記基地局装置に対する接続状態を判断するステップと、
無線パラメータ制御部において、前記各接続状態のそれぞれで使用する参照信号のパラメータを設定するステップと、
参照信号選択部において、前記判断された接続状態に応じて設定された参照信号のパラメータを選択するステップと、
送信処理部において、前記選択された参照信号を前記基地局装置に対して送信するステップと、を少なくとも含むことを特徴とする通信方法。
【請求項９】
前記接続状態は、前記基地局装置との同期が維持され信号の送信用の無線リソースの割り当てが行なわれる第１の接続状態、または前記基地局装置との同期が維持され信号の送信用の無線リソースの割り当てが行なわれない第２の接続状態のいずれか一方であることを特徴とする請求項８記載の通信方法。
【請求項１０】
移動局装置に実装されることにより、前記移動局装置に複数の機能を発揮させる集積回路であって、
基地局装置に対して、複数種類の接続状態のうちいずれか一つの接続状態を取る機能と、
前記基地局装置に対する接続状態を判断する機能と、
前記各接続状態のそれぞれで使用する参照信号のパラメータを設定する機能と、
前記判断された接続状態に応じて設定された参照信号のパラメータを選択する機能と、
前記選択された参照信号を前記基地局装置に対して送信する機能と、を含む一連の機能を、前記移動局装置に発揮させることを特徴とする集積回路。
【請求項１１】
前記接続状態は、前記基地局装置との同期が維持され信号の送信用の無線リソースの割り当てが行なわれる第１の接続状態、または前記基地局装置との同期が維持され信号の送信用の無線リソースの割り当てが行なわれない第２の接続状態のいずれか一方であることを特徴とする請求項１０記載の集積回路。
【請求項１２】
請求項１から請求項７のいずれかに記載の移動局装置と、基地局装置と、から構成されることを特徴とする無線通信システム。
【請求項１３】
移動局装置および基地局装置から構成される無線通信システムに適用され、前記基地局装置に対して、複数種類の接続状態のうちいずれか一つの接続状態を取る移動局装置の制御プログラムであって、
前記基地局装置に対する接続状態を判断する処理と、
前記各接続状態のそれぞれで使用する参照信号のパラメータを設定する処理と、
前記判断された接続状態に応じて設定された参照信号のパラメータを選択する処理と、
前記選択された参照信号を前記基地局装置に対して送信する処理と、を含む一連の処理を、コンピュータに読み取り可能および実行可能にコマンド化したことを特徴とする制御プログラム。
【発明の詳細な説明】
【技術分野】
【０００１】
本発明は、複数の移動局装置と基地局装置から構成される無線通信システムにおいて、上りリンクの参照信号を効率的に制御し、干渉を低減しつつ、移動局装置が早急に信号の送信を行なうことができる移動局装置、通信方法、集積回路、無線通信システムおよび制御プログラムに関する。
【背景技術】
【０００２】
＜Component carrier aggregationについて＞
３ＧＰＰ（3rd Generation Partnership Project；第３世代パートナーシッププロジェクト）において、ＥＵＴＲＡ（Evolved Universal Terrestrial Radio Access；以下、「EUTRA」という）の規格が策定され、ＥＵＴＲＡを進化させた無線アクセス方式（Advanced EUTRA；以下、「A-EUTRA」という）の検討が開始されている。
【０００３】
Ａ−ＥＵＴＲＡでは、ＥＵＴＲＡよりも広い周波数帯域に対応すること、およびＥＵＴ
ＲＡとの互換性（compatibility）を確保することが検討されている。このため、Ａ−ＥＵＴＲＡでは、基地局装置がＥＵＴＲＡの周波数帯域を一単位（要素周波数帯域）として、複数の要素周波数帯域から構成されるシステム帯域を用いた通信を行なう技術（周波数帯域集約：Spectrum aggregation、または、キャリア集約：Carrier aggregationと呼称することがある。）が検討されている。なお、要素周波数帯域をキャリア要素：Carrier Component、または、コンポーネントキャリア：Component carrierと呼称することもある。この技術では、基地局装置は、ＥＵＴＲＡに対応した移動局装置と上りリンクおよび下りリンク各々において何れか１個の要素周波数帯域を用いて通信を行ない、Ａ−ＥＵＴＲＡに対応した移動局装置と上りリンクおよび下りリンク各々において１個以上の要素周波数帯域を用いて通信を行なう。
【０００４】
Ａ−ＥＵＴＲＡでは、異なる要素周波数帯域で異なるリピーターを用いることが検討されている（例えば、非特許文献１参照）。この場合、各要素周波数帯域の伝搬環境が異なり、移動局装置から送信された信号の基地局装置での到来タイミングが要素周波数帯域間で異なる。このため、基地局装置は、各要素周波数帯域で移動局装置との上りリンクの同期を維持するために、移動局装置に対して同期ずれを測定するための信号を各要素周波数帯域で独立に送信させる必要がある。同時ずれを測定するための信号として、例えば上りリンクの参照信号が用いられる。上りリンクの参照信号は、チャネル品質の測定にも用いられ、測定されたチャネル品質は周波数スケジューリングに用いられる。例えば、基地局装置は、周波数スケジューリングとして、チャネル品質が良い周波数帯域に信号の送信用の無線リソースを割り当てる。
【先行技術文献】
【非特許文献】
【０００５】
【非特許文献１】3GPP TSG RAN1 #58bis、Miyazaki、Japan、12-16 October、2009、R1-093749“Reply LS on RAN2 status on carrier aggregation”
【発明の概要】
【発明が解決しようとする課題】
【０００６】
チャネル品質は時間変動するため、移動局装置はチャネル品質の時間変動に応じた頻度で参照信号を送信することが求められる。しかしながら、移動局装置で蓄積されたデータ量が少なくなり、信号の送信用の無線リソースが移動局装置に割り当てられなければ、送信された参照信号は無駄になり、他セル干渉を増大するだけの結果となってしまう。蓄積されたデータ量に応じて頻繁に参照信号の送信周期を変更することは、基地局装置と移動局装置間での参照信号のパラメータのやり取りに用いられる制御情報のオーバヘッドの増大を招く。
【０００７】
その一方、移動局装置で蓄積されたデータ量の変動、また基地局装置が管理する無線リソースの空き状況に応じて基地局装置が複数の要素周波数帯域に無線リソースを割り当てて移動局装置と基地局装置間で低遅延で通信を行なうためには各要素周波数帯域で同期を維持することが望ましい。基地局装置と移動局装置間で同期がはずれた要素周波数帯域を用いて通信を行なうためには、基地局装置が同期ずれを測定するための信号を移動局装置に割り当て、移動局装置が割り当てられた信号を送信し、同期ずれを測定するための信号を受信した基地局装置が同期ずれを測定し、測定した同期ずれを調整する情報を移動局装置に通知する手順を行なわなければならず、移動局装置が複数の要素周波数帯域を用いて信号を送信するまでに遅延が生じる。
【０００８】
本発明は、このような事情に鑑みてなされたものであり、複数の移動局装置と基地局装置から構成される無線通信システムにおいて、上りリンクの参照信号を効率的に制御し、干渉を低減しつつ、移動局装置が早急に信号の送信を行なうことができる移動局装置、通信方法、集積回路、無線通信システム、および制御プログラムを提供することを目的とする。
【課題を解決するための手段】
【０００９】
（１）上記の目的を達成するために、本発明は、以下のような手段を講じた。すなわち、本発明の移動局装置は、移動局装置および基地局装置から構成される無線通信システムに適用され、前記基地局装置に対して、複数種類の接続状態のうちいずれか一つの接続状態を取る移動局装置であって、前記基地局装置に対する接続状態を判断する接続状態判断部と、前記各接続状態のそれぞれで使用する参照信号のパラメータを設定する無線パラメータ制御部と、前記接続状態判断部で判断された接続状態に応じて前記無線パラメータ制御部において設定された参照信号のパラメータを選択する参照信号選択部と、前記参照信号選択部において選択された参照信号を前記基地局装置に対して送信する送信処理部と、を備えることを特徴とする。
【００１０】
このように、基地局装置に対する接続状態を判断し、各接続状態のそれぞれで使用する参照信号のパラメータを設定し、その判断した接続状態に応じて設定された参照信号のパラメータを選択し、その選択した参照信号を基地局装置に対して送信するので、各接続状態に適した参照信号を送信することができる。
【００１１】
（２）また、本発明の移動局装置において、前記接続状態は、前記基地局装置との同期が維持され信号の送信用の無線リソースの割り当てが行なわれる第１の接続状態、または前記基地局装置との同期が維持され信号の送信用の無線リソースの割り当てが行なわれない第２の接続状態のいずれか一方であることを特徴とする。
【００１２】
このように、移動局装置は、基地局装置との同期が維持され、信号の送信用の無線リソースの割り当てが行なわれる第１の接続状態用のパラメータを設定した参照信号、または、基地局装置との同期が維持され、信号の送信用の無線リソースの割り当てが行なわれない第２の接続状態用のパラメータを設定した参照信号を選択して、送信するので、各接続状態に適した参照信号を送信することができる。
【００１３】
（３）また、本発明の移動局装置において、前記無線パラメータ制御部は、前記第１の接続状態で使用する参照信号および前記第２の接続状態で使用する参照信号に対して、異なる送信周期のパラメータを設定することを特徴とする。
【００１４】
このように、第１の接続状態で使用する参照信号および第２の接続状態で使用する参照信号に対して、異なる送信周期のパラメータを設定するので、各接続状態に適した送信周期の参照信号を送信することができる。
【００１５】
（４）また、本発明の移動局装置において、前記無線パラメータ制御部は、前記第１の接続状態で使用する参照信号の送信周期よりも長い送信周期のパラメータを、前記第２の接続状態で使用する参照信号に対して設定することを特徴とする。
【００１６】
このように、第１の接続状態で使用する参照信号の送信周期よりも長い送信周期のパラメータを、第２の接続状態で使用する参照信号に対して設定するので、第２の接続状態において送信する参照信号の量を減らすことができる。よって、第１の接続状態と第２の接続状態を遷移する移動局装置は、他セルへの干渉を低減することができる。
【００１７】
（５）また、本発明の移動局装置において、前記無線パラメータ制御部は、前記第１の接続状態で使用する参照信号の送信周期を間引いた送信周期を、前記第２の接続状態で使用する参照信号に対して設定することを特徴とする。
【００１８】
このように、第１の接続状態で使用する参照信号の送信周期を間引いた送信周期を、第２の接続状態で使用する参照信号に対して設定するので、第２の接続状態用の参照信号のパラメータに関する情報量を低減できる。
【００１９】
（６）また、本発明の移動局装置において、前記接続状態判断部は、前記第１の接続状態において無線リソースの割り当てが一定期間行なわれなかった場合、前記第２の接続状態であると判断することを特徴とする。
【００２０】
このように、第１の接続状態において無線リソースの割り当てが一定期間行なわれなかった場合、第２の接続状態であると判断するので、第１の接続状態から第２の接続状態に遷移することを示すメッセージの情報量を削減できる。
【００２１】
（７）また、本発明の移動局装置において、前記接続状態判断部は、予め定められた周波数帯域幅を有する上りリンクの要素周波数帯域毎に、前記接続状態を判断することを特徴とする。
【００２２】
このように、予め定められた周波数帯域幅を有する上りリンクの要素周波数帯域毎に、接続状態を判断するので、複数の要素周波数帯域で各接続状態に適した参照信号を送信することができる。
【００２３】
（８）また、本発明の通信方法は、移動局装置および基地局装置から構成される無線通信システムに適用され、前記基地局装置に対して、複数種類の接続状態のうちいずれか一つの接続状態を取る移動局装置の通信方法であって、接続状態判断部において、前記基地局装置に対する接続状態を判断するステップと、無線パラメータ制御部において、前記各接続状態のそれぞれで使用する参照信号のパラメータを設定するステップと、参照信号選択部において、前記判断された接続状態に応じて設定された参照信号のパラメータを選択するステップと、送信処理部において、前記選択された参照信号を前記基地局装置に対して送信するステップと、を少なくとも含むことを特徴とする。
【００２４】
このように、基地局装置に対する接続状態を判断し、各接続状態のそれぞれで使用する参照信号のパラメータを設定し、その判断した接続状態に応じて設定された参照信号のパラメータを選択し、その選択した参照信号を基地局装置に対して送信するので、各接続状態に適した参照信号を送信することができる。
【００２５】
（９）また、本発明の通信方法において、前記接続状態は、前記基地局装置との同期が維持され信号の送信用の無線リソースの割り当てが行なわれる第１の接続状態、または前記基地局装置との同期が維持され信号の送信用の無線リソースの割り当てが行なわれない第２の接続状態のいずれか一方であることを特徴とする。
【００２６】
このように、移動局装置は、基地局装置との同期が維持され、信号の送信用の無線リソースの割り当てが行なわれる第１の接続状態用のパラメータを設定した参照信号、または、基地局装置との同期が維持され、信号の送信用の無線リソースの割り当てが行なわれない第２の接続状態用のパラメータを設定した参照信号を選択して、送信するので、各接続状態に適した参照信号を送信することができる。
【００２７】
（１０）また、本発明の集積回路は、移動局装置に実装されることにより、前記移動局装置に複数の機能を発揮させる集積回路であって、基地局装置に対して、複数種類の接続状態のうちいずれか一つの接続状態を取る機能と、前記基地局装置に対する接続状態を判断する機能と、前記各接続状態のそれぞれで使用する参照信号のパラメータを設定する機能と、前記判断された接続状態に応じて設定された参照信号のパラメータを選択する機能と、前記選択された参照信号を前記基地局装置に対して送信する機能と、を含む一連の機能を、前記移動局装置に発揮させることを特徴とする。
【００２８】
このように、基地局装置に対する接続状態を判断し、各接続状態のそれぞれで使用する参照信号のパラメータを設定し、その判断した接続状態に応じて設定された参照信号のパラメータを選択し、その選択した参照信号を基地局装置に対して送信するので、各接続状態に適した参照信号を送信することができる。
【００２９】
（１１）また、本発明の集積回路において、前記接続状態は、前記基地局装置との同期が維持され信号の送信用の無線リソースの割り当てが行なわれる第１の接続状態、または前記基地局装置との同期が維持され信号の送信用の無線リソースの割り当てが行なわれない第２の接続状態のいずれか一方であることを特徴とする。
【００３０】
このように、移動局装置は、基地局装置との同期が維持され、信号の送信用の無線リソースの割り当てが行なわれる第１の接続状態用のパラメータを設定した参照信号、または、基地局装置との同期が維持され、信号の送信用の無線リソースの割り当てが行なわれない第２の接続状態用のパラメータを設定した参照信号を選択して、送信するので、各接続状態に適した参照信号を送信することができる。
【００３１】
（１２）また、本発明の無線通信システムは、上記（１）から（７）のいずれかに記載の移動局装置と、基地局装置と、から構成されることを特徴とする。
【００３２】
この構成により、移動局装置は、基地局装置との接続状態を判断し、判断した接続状態用のパラメータを設定した参照信号を選択して、送信するので、各接続状態に適した参照信号を送信することができる。
【００３３】
（１３）また、本発明の制御プログラムは、移動局装置および基地局装置から構成される無線通信システムに適用され、前記基地局装置に対して、複数種類の接続状態のうちいずれか一つの接続状態を取る移動局装置の制御プログラムであって、前記基地局装置に対する接続状態を判断する処理と、前記各接続状態のそれぞれで使用する参照信号のパラメータを設定する処理と、前記判断された接続状態に応じて設定された参照信号のパラメータを選択する処理と、前記選択された参照信号を前記基地局装置に対して送信する処理と、を含む一連の処理を、コンピュータに読み取り可能および実行可能にコマンド化したことを特徴とする。
【００３４】
このように、基地局装置に対する接続状態を判断し、各接続状態のそれぞれで使用する参照信号のパラメータを設定し、その判断した接続状態に応じて設定された参照信号のパラメータを選択し、その選択した参照信号を基地局装置に対して送信するので、各接続状態に適した参照信号を送信することができる。
【発明の効果】
【００３５】
本発明によれば、複数の移動局装置と基地局装置から構成される無線通信システムにおいて、上りリンクの参照信号を効率的に制御し、干渉を低減しつつ、移動局装置が早急に信号の送信を行なうことができる。これにより、移動局装置における信号の送信の待ち時間を短く抑えつつ、他セルへの干渉を低減することができる。
【図面の簡単な説明】
【００３６】
【図１】本発明の実施形態に係る無線通信システムの全体像についての概略を説明する図である。
【図２】本発明の実施形態に係る基地局装置３から移動局装置５への下りリンク無線フレームの概略構成を示す図である。
【図３】本発明の実施形態に係る移動局装置５から基地局装置３への上りリンク無線フレームの概略構成を示す図である。
【図４】本発明の実施形態に係る基地局装置３の概略構成を示すブロック図である。
【図５】本発明の実施形態に係る基地局装置３の送信処理部１０７の概略構成を示すブロック図である。
【図６】本発明の実施形態に係る基地局装置３の受信処理部１０１の概略構成を示すブロック図である。
【図７】本発明の実施形態に係る移動局装置５の概略構成を示すブロック図である。
【図８】本発明の実施形態に係る移動局装置５の受信処理部４０１の概略構成を示すブロック図である。
【図９】本発明の実施形態に係る移動局装置５の送信処理部４０７の概略構成を示すブロック図である。
【図１０】本発明の実施形態において、複数の上りリンク要素周波数帯域の第１の接続状態と第２の接続状態からなる接続状態の遷移の一例を示す図である。
【図１１Ａ】本発明の実施形態における、第１の接続状態用の参照用上りリンクパイロットチャネルの送信周期の一例を示す図である。
【図１１Ｂ】本発明の実施形態における、第２の接続状態用の参照用上りリンクパイロットチャネルの送信周期の一例を示す図である。
【図１２】本発明の実施形態に係る移動局装置５の参照用上りリンクパイロットチャネルの上りリンク参照信号のパラメータの選択に関する処理の一例を示すフローチャートである。
【図１３Ａ】本発明の実施形態における、第１の接続状態用の参照用上りリンクパイロットチャネルの送信周期の一例を示す図である。
【図１３Ｂ】本発明の実施形態における、第２の接続状態用の参照用上りリンクパイロットチャネルの送信周期の一例を示す図である。
【発明を実施するための形態】
【００３７】
以下、図面を参照しながら本発明の実施形態について詳しく説明する。まず、図１、図２、図３を用いて、本実施形態に係る無線通信システムの全体像、および無線フレームの構成について説明する。次に、図４〜図９を用いて、本実施形態に係る無線通信システムの構成について説明する。次に、図１０〜図１３を用いて、本実施形態に係る無線通信システムの動作処理について説明する。
【００３８】
＜無線通信システムの全体像＞
図１は、本発明の実施形態に係る無線通信システムの全体像についての概略を説明する図である。この図が示す無線通信システム１は、基地局装置３と、複数のリピーター４Ａ、４Ｂ、４Ｃと、複数の移動局装置５Ａ、５Ｂ、５Ｃとが無線通信を行なう。基地局装置３は、移動局装置５Ａ、５Ｂ、５Ｃの位置に応じて、リピーター４Ａ、４Ｂ、４Ｃを介して、またはリピーター４Ａ、４Ｂ、４Ｃを介さずに、移動局装置５Ａ、５Ｂ、５Ｃと無線通信を行なう。なお、また、この図は、基地局装置３から移動局装置５Ａ、５Ｂ、５Ｃへの通信方向である下りリンクが、下りリンクパイロットチャネル、下りリンク制御チャネル（ＰＤＣＣＨ：Ｐｈｙｓｉｃａｌ  Ｄｏｗｎｌｉｎｋ  Ｃｏｎｔｒｏｌ  ＣＨａｎｎｅｌとも称す。）、および下りリンク共用チャネル（ＰＤＳＣＨ：Ｐｈｙｓｉｃａｌ  Ｄｏｗｎｌｉｎｋ  Ｓｈａｒｅｄ  ＣＨａｎｎｅｌとも称す。）を含んで構成されることを示す。なお、リピーター４Ａ、４Ｂ、４Ｃを介した場合、リピーター４Ａ、４Ｂ、４Ｃから移動局装置５Ａ、５Ｂ、５Ｃへの通信方向も下りリンクである。
【００３９】
また、この図は、移動局装置５Ａ、５Ｂ、５Ｃから基地局装置３への通信方向である上りリンクが、上りリンク共用チャネル（ＰＵＳＣＨ：Ｐｈｙｓｉｃａｌ  Ｕｐｌｉｎｋ  Ｓｈａｒｅｄ  ＣＨａｎｎｅｌとも称す。）、上りリンクパイロットチャネル、および上りリンク制御チャネル（ＰＵＣＣＨ：Ｐｈｙｓｉｃａｌ  Ｕｐｌｉｎｋ  Ｃｏｎｔｒｏｌ  ＣＨａｎｎｅｌとも称す。）を含んで構成されることを示す。
【００４０】
なお、リピーター４Ａ、４Ｂ、４Ｃを介した場合、移動局装置５Ａ、５Ｂ、５Ｃからリピーター４Ａ、４Ｂ、４Ｃへの通信方向も上りリンクである。基地局装置３が管轄するエリアのことをセルと呼ぶ。なお、実際にリピーター４Ａ、４Ｂ、４Ｃを介して基地局装置３と移動局装置５Ａ、５Ｂ、５Ｃが通信を行なう場合であっても、移動局装置５Ａ、５Ｂ、５Ｃはリピーター４Ａ、４Ｂ、４Ｃの存在を意識して処理を行なうことはなく、リピーター４Ａ、４Ｂ、４Ｃを基地局装置３とみなして通信を行なう。以下、本実施形態において、移動局装置５Ａ、５Ｂ、５Ｃを移動局装置５といい、リピーター４Ａ、４Ｂ、４Ｃは基地局装置３に含めて説明を行なう。
【００４１】
＜下りリンク無線フレームの構成＞
図２は、本発明の実施形態に係る基地局装置３から移動局装置５への下りリンク無線フレームの概略構成を示す図である。この図において、横軸は周波数領域、縦軸は時間領域を表している。下りリンク無線フレームは、無線リソース割り当てなどの単位であり、予め決められた幅の周波数帯および時間帯からなる下りリンクリソースブロックペアから構成される。１個の下りリンクリソースブロックペアは時間領域で連続する２個の下りリンクリソースブロックから構成される。
【００４２】
また、この図において、１個の下りリンクリソースブロックは、周波数領域において１２個の下りリンクサブキャリアから構成され、時間領域において７個のＯＦＤＭシンボルから構成される。下りリンクシステム帯域幅は、基地局装置３の下りリンクの通信帯域幅であり、複数の下りリンク要素周波数帯域幅から構成される。無線通信システム１において、下りリンク要素周波数帯域は予め定められた周波数帯域幅の帯域である。例えば、４０ＭＨｚの帯域幅の下りリンクシステム帯域は、２個の２０ＭＨｚの帯域幅の下りリンク要素周波数帯域から構成される。
【００４３】
なお、下りリンク要素周波数帯域では下りリンク要素周波数帯域幅に応じて複数の下りリンクリソースブロックが配置される。例えば、２０ＭＨｚの帯域幅の下りリンク要素周波数帯域は、１００個の下りリンクリソースブロックから構成される。また、例えば、下りリンク要素周波数帯域幅は、ＥＵＴＲＡに対応した移動局装置が通信に用いることができる周波数帯域幅であり、下りリンクシステム帯域幅はＡ−ＥＵＴＲＡに対応した移動局装置が通信に用いることができる周波数帯域幅である。
【００４４】
また、この図が示す時間領域においては、７個のＯＦＤＭシンボルから構成される下りリンクスロット、２個の下りリンクスロットから構成される下りリンクサブフレーム、１０個の下りリンクサブフレームから構成される下りリンク無線フレームがある。なお、１個の下りリンクサブキャリアと１個のＯＦＤＭシンボルから構成されるユニットを下りリンクリソースエレメントと呼ぶ。各下りリンクサブフレームには少なくとも、情報データの送信に用いられる下りリンク共用チャネル、制御データの送信に用いられる下りリンク制御チャネルが配置される。この図においては、下りリンク制御チャネルは下りリンクサブフレームの１番目から３番目までのＯＦＤＭシンボルから構成され、下りリンク共用チャネルは下りリンクサブフレームの４番目から１４番目までのＯＦＤＭシンボルから構成される。
【００４５】
この図において図示は省略するが、下りリンク共用チャネルおよび下りリンク制御チャネルの伝搬路変動の推定に用いられる下りリンクパイロットチャネルの下りリンク参照信号が複数の下りリンクリソースエレメントに分散して配置される。ここで、下りリンク参照信号は、下りリンクパイロットチャネルに用いられる、無線通信システム１において既知の信号である。
【００４６】
なお、１個の下りリンク共用チャネルは同一の下りリンク要素周波数帯域内の１個以上の下りリンクリソースブロックから構成され、１個の下りリンク制御チャネルは同一の下りリンク要素周波数帯域内の複数の下りリンクリソースエレメントから構成される。下りリンクシステム帯域内で複数の下りリンク共用チャネル、複数の下りリンク制御チャネルが配置される。基地局装置３は、ＥＵＴＲＡに対応した１つの移動局装置５に対して同一の下りリンクサブフレームで同一の下りリンク要素周波数帯域内で１個の下りリンク制御チャネルと１個の下りリンク共用チャネルを配置することができ、Ａ−ＥＵＴＲＡに対応した１つの移動局装置５に対して同一の下りリンクサブフレームで複数の下りリンク制御チャネルと複数の下りリンク共用チャネルを配置することができる。
【００４７】
なお、基地局装置３は、Ａ−ＥＵＴＲＡに対応した１つの移動局装置５に対して同一の下りリンクサブフレームで、同一の下りリンク要素周波数帯域内で複数の下りリンク制御チャネルを配置することができるが、同一の下りリンク要素周波数帯域内で複数の下りリンク共用チャネルを配置することはできず、各下りリンク共用チャネルを異なる下りリンク要素周波数帯域に配置することはできる。
【００４８】
下りリンク制御チャネルは、移動局識別子、下りリンク共用チャネルの無線リソース割り当て情報、上りリンク共用チャネルの無線リソース割り当て情報、マルチアンテナ関連情報、変調方式、符号化率、再送パラメータなどの制御データから生成された信号が配置される。なお、１個の下りリンク制御チャネルは、１個の下りリンク共用チャネルの無線リソース割り当て情報、または１個の上りリンク共用チャネルの無線リソース割り当て情報しか含まず、複数の下りリンク共用チャネルの無線リソース割り当て情報、または複数の上りリンク共用チャネルの無線リソース割り当て情報を含まない。
【００４９】
図３は、本発明の実施形態に係る移動局装置５から基地局装置３への上りリンク無線フレームの概略構成を示す図である。この図において、横軸は周波数領域、縦軸は時間領域を表している。上りリンク無線フレームは、無線リソース割り当てなどの単位であり、予め決められた幅の周波数帯および時間帯からなる上りリンクリソースブロックペアから構成される。１個の上りリンクリソースブロックペアは、時間領域で連続する２個の上りリンクリソースブロックから構成される。
【００５０】
また、この図において、１個の上りリンクリソースブロックは、周波数領域において１２個の上りリンクサブキャリアから構成され、時間領域において７個のＳＣ−ＦＤＭＡシンボルから構成される。上りリンクシステム帯域幅は、基地局装置３の上りリンクの通信帯域幅であり、複数の上りリンク要素周波数帯域幅から構成される。無線通信システム１において、上りリンク要素周波数帯域は予め定められた周波数帯域幅の帯域である。例えば、４０ＭＨｚの帯域幅の上りリンクシステム帯域は、２個の２０ＭＨｚの帯域幅の上りリンク要素周波数帯域から構成される。
【００５１】
なお、上りリンク要素周波数帯域では上りリンク要素周波数帯域幅に応じて複数の上りリンクリソースブロックが配置される。例えば、２０ＭＨｚ帯域幅の上りリンク要素周波数帯域は、１００個の上りリンクリソースブロックから構成される。また、例えば、上りリンク要素周波数帯域幅は、ＥＵＴＲＡに対応した移動局装置が通信に用いることができる周波数帯域幅であり、上りリンクシステム帯域幅はＡ−ＥＵＴＲＡに対応した移動局装置が通信に用いることができる周波数帯域幅である。
【００５２】
また、この図が示す時間領域においては、７個のＳＣ−ＦＤＭＡシンボルから構成される上りリンクスロット、２個の上りリンクスロットから構成される上りリンクサブフレーム、１０個の上りリンクサブフレームから構成される上りリンク無線フレームがある。なお、１個の上りリンクサブキャリアと１個のＳＣ−ＦＤＭＡシンボルから構成されるユニットを上りリンクリソースエレメントと呼ぶ。
【００５３】
各上りリンクサブフレームには少なくとも、情報データの送信に用いられる上りリンク共用チャネル、制御データの送信に用いられる上りリンク制御チャネルが配置される。上りリンク制御チャネルは、下りリンクに対するチャネル品質指標、下りリンク共用チャネルに対する受信確認応答、またはスケジューリング要求からなる制御データを送信する。
【００５４】
なお、１個の上りリンク共用チャネルは同一の上りリンク要素周波数帯域内の１個以上の上りリンクリソースブロックから構成され、１個の上りリンク制御チャネルは同一の上りリンク要素周波数帯域内において周波数領域に対称関係にあり、異なる上りリンクスロットに位置する２個の上りリンクリソースブロックから構成される。例えば、図３において、最も周波数が低い上りリンク要素周波数帯域内の上りリンクサブフレーム内において、一番目の上りリンクスロットの最も周波数が低い上りリンクリソースブロックと、二番目の上りリンクスロットの最も周波数が高い上りリンクリソースブロックとにより、上りリンク制御チャネルに用いられる上りリンクリソースブロックペアの１個が構成される。
【００５５】
上りリンクシステム帯域内で複数の上りリンク共用チャネル、複数の上りリンク制御チャネルが配置される。基地局装置３は、ＥＵＴＲＡに対応した１つの移動局装置５に対して同一の上りリンクサブフレームで同一の上りリンク要素周波数帯域内で１個の上りリンク制御チャネルの無線リソースを割り当てることができ、Ａ−ＥＵＴＲＡに対応した１つの移動局装置５に対して同一の上りリンクサブフレームで複数の上りリンク共用チャネルの無線リソースを割り当てることができる。
【００５６】
なお、基地局装置３は、Ａ−ＥＵＴＲＡに対応した１つの移動局装置５に対して同一の上りリンクサブフレームで、同一の上りリンク要素周波数帯域内で複数の上りリンク共用チャネルの無線リソースを割り当てることはできず、各上りリンク共用チャネルを異なる上りリンク要素周波数帯域で無線リソースを割り当てることができる。
【００５７】
上りリンクパイロットチャネルは、上りリンク共用チャネルおよび上りリンク制御チャネルの伝搬路変動の推定に用いられる復調用上りリンクパイロットチャネルと、基地局装置３の上りリンク共用チャネルの周波数スケジューリングに用いられる参照用上りリンクパイロットチャネルとから構成される。なお、参照用上りリンクパイロットチャネルは、基地局装置３と移動局装置５の同期ずれの測定にも用いられる。
【００５８】
復調用上りリンクパイロットチャネルは、上りリンク共用チャネルと同じ上りリンクリソースブロック内に配置される場合と、上りリンク制御チャネルと同じ上りリンクリソースブロック内に配置される場合とで異なるＳＣ−ＦＤＭＡシンボルに上りリンク参照信号が配置される。ここで、上りリンク参照信号とは、上りリンクパイロットチャネルに用いられる、無線通信システム１において既知の信号である。
【００５９】
復調用上りリンクパイロットチャネルは、上りリンク共用チャネルと同じ上りリンクリソースブロック内に配置される場合、上りリンクスロット内の４番目のＳＣ−ＦＤＭＡシンボルに上りリンク参照信号（復調用パイロットチャネルの上りリンク参照信号を復調参照信号ＤＭ  ＲＳ：ＤｅＭｏｄｕｌａｔｉｏｎ  Ｒｅｆｅｒｅｎｃｅ  Ｓｉｇｎａｌとも称す。）が配置される。復調用上りリンクパイロットチャネルは、チャネル品質指標からなる制御データを含む上りリンク制御チャネルと同じ上りリンクリソースブロック内に配置される場合、上りリンクスロット内の２番目と６番目のＳＣ−ＦＤＭＡシンボルに上りリンク参照信号が配置される。復調用上りリンクパイロットチャネルは、受信確認応答からなる制御データを含む上りリンク制御チャネルと同じ上りリンクリソースブロック内に配置される場合、上りリンクスロット内の３番目と４番目と５番目のＳＣ−ＦＤＭＡシンボルに上りリンク参照信号が配置される。復調用上りリンクパイロットチャネルは、スケジューリング要求からなる制御データを含む上りリンク制御チャネルと同じ上りリンクリソースブロック内に配置される場合、上りリンクスロット内の３番目と４番目と５番目のＳＣ−ＦＤＭＡシンボルに上りリンク参照信号が配置される。
【００６０】
参照用上りリンクパイロットチャネルは、上りリンク共用チャネルと同じ上りリンクリソースブロック内に配置され、上りリンクサブフレーム内の１４番目のＳＣ−ＦＤＭＡシンボルに上りリンク参照信号（参照用上りリンクパイロットチャネルの上りリンク参照信号を調査参照信号ＳＲＳ：Ｓｏｕｎｄｉｎｇ  Ｒｅｆｅｒｅｎｃｅ  Ｓｉｇｎａｌとも称す。）が配置される。参照用上りリンクパイロットチャネルは、セル内において基地局装置３が決定した周期の上りリンクサブフレーム（以降、説明の簡略化のため、参照用上りリンクサブフレームと称す。また、調査参照信号サブフレームＳＲＳ  ｓｕｂｆｒａｍｅとも称す。）のみに配置され、参照用上りリンクパイロットチャネルが配置されない上りリンクサブフレームでは、上りリンクサブフレーム内の１４番目のＳＣ−ＦＤＭＡシンボルには上りリンク共用チャネルが配置される。参照用上りリンクサブフレームに対して、基地局装置３は移動局装置５毎に参照用上りリンクパイロットチャネルを送信する周期、上りリンクリソースブロックを割り当てる。
【００６１】
この図では、上りリンク制御チャネルが各上りリンク要素周波数帯域の最も端の上りリンクリソースブロックに配置された場合を示しているが、上りリンク要素周波数帯域の端から２番目、３番目などの上りリンクリソースブロックが上りリンク制御チャネルに用いられる場合もある。
【００６２】
なお、本発明の実施形態に係る無線通信システム１では、下りリンクにおいてＯＦＤＭ方式を適用し、上りリンクにおいてＮｘＤＦＴ−Ｓｐｒｅａｄ  ＯＦＤＭ方式を適用する。ここで、ＮｘＤＦＴ−Ｓｐｒｅａｄ  ＯＦＤＭ方式とは、上りリンク要素周波数帯域単位でＤＦＴ−Ｓｐｒｅａｄ  ＯＦＤＭ方式を用いて信号を送受信する方式であり、複数の上りリンク要素周波数帯域を用いた無線通信システム１の上りリンクサブフレームにおいて複数のＤＦＴ−Ｓｐｒｅａｄ  ＯＦＤＭ送受信に関する処理部を用いて通信を行なう方式である。
【００６３】
なお、本発明の実施形態に係る基地局装置３と移動局装置５は、複数の上りリンク要素周波数帯域を用いて通信を行ない、各上りリンク要素周波数帯域が異なるリピーターを介して基地局装置３と移動局装置５で用いられる場合を主に想定する。つまり、移動局装置５が送信する各上りリンク要素周波数帯域の信号の基地局装置３での到来タイミングが異なり、基地局装置３と移動局装置５間で各上りリンク要素周波数帯域で同期ずれの調整を独立に行なう必要がある場合を主に想定する。
【００６４】
（第１の実施形態）
＜基地局装置の全体構成＞
以下、図４、図５、図６を用いて、本実施形態に係る基地局装置３の構成について説明する。図４は、本発明の実施形態に係る基地局装置３の概略構成を示すブロック図である。この図に示すように、基地局装置３は、受信処理部１０１、無線リソース制御部１０３、制御部１０５、および、送信処理部１０７１０７を含んで構成される。
【００６５】
受信処理部１０１は、制御部１０５の指示に従い、受信アンテナ１０９により移動局装置５から受信した、上りリンク制御チャネル、上りリンク共用チャネルの受信信号を、復調用パイロットチャネルを用いて復調し、復号して、制御データ、情報データを抽出する。また、受信処理部１０１は、移動局装置５から受信した参照用上りリンクパイロットチャネルを用いて１個以上の上りリンクリソースブロックのチャネル品質と、同期ずれを測定する。
【００６６】
なお、受信処理部１０１は、移動局装置５から複数の上りリンク要素周波数帯域で信号を受信する場合、各上りリンク要素周波数帯域の同期ずれを測定する。受信処理部１０１は、抽出した制御データ、測定したチャネル品質と同期ずれを制御部１０５に出力し、情報データを上位層に出力する。受信処理部１０１の詳細については、後述する。
【００６７】
無線リソース制御部１０３は、移動局装置５各々の参照用上りリンクパイロットチャネルの無線リソース割り当て（送信周期、上りリンクリソースブロック）、送信電力、下りリンク制御チャネルの無線リソース割り当て、上りリンク制御チャネルの無線リソース割り当て、下りリンク共用チャネルの無線リソース割り当て、上りリンク共用チャネルの無線リソース割り当て、各種チャネルの変調方式・符号化率などを設定する。例えば、無線リソース制御部１０３は、各接続状態用の上りリンク要素周波数帯域毎の参照用上りリンクパイロットチャネルの無線リソース割り当てを設定する。
【００６８】
無線リソース制御部１０３は、制御部１０５を通して入力された上りリンクのチャネル品質に基づき、上りリンク共用チャネルの無線リソース割り当て、送信電力の値などの設定を行なう。無線リソース制御部１０３は、制御部１０５を介して入力された各上りリンク要素周波数帯域の同期ずれを示す情報に基づき、移動局装置５において各上りリンク要素周波数帯域で信号を送信するタイミングを調整する必要があるかどうかを判断し、必要があると判断した場合、移動局装置５において信号を送信するタイミングの調整値を設定して、移動局装置５において同期ずれを調整する制御情報を生成する。
【００６９】
また、無線リソース制御部１０３は、移動局装置５の接続状態の制御を行なう。無線リソース制御部１０３は、自装置と移動局装置５との上りリンクの同期が維持され、上りリンク共用チャネルの信号の送信用の無線リソース割り当てを行なう接続状態（第１の接続状態）と、自装置と移動局装置５との上りリンクの同期が維持され、上りリンク共用チャネルの信号の送信用の無線リソース割り当てを行なわない接続状態（第２の接続状態）の制御を上りリンク要素周波数帯域毎に行なう。無線リソース制御部１０３は、上りリンク要素周波数帯域を第１の接続状態から第２の接続状態に移行させる場合、一定期間の間、その上りリンク要素周波数帯域に対して上りリンク共用チャネルの無線リソースの割り当てを行なわず、一定期間が経過した後、第１の接続状態から第２の接続状態に移行が完了したと判断する。
【００７０】
無線リソース制御部１０３は、上りリンク要素周波数帯域を第２の接続状態から第１の接続状態に移行させる場合、その旨を示したメッセージを作成し、制御部１０５、送信処理部１０７を介して、下りリンク共用チャネルを用いて移動局装置５に通知し、メッセージを移動局装置５に通知した後、第２の接続状態から第１の接続状態に移行が完了したと判断する。また、無線リソース制御部１０３は、同期ずれを調整する制御情報などの、設定した制御情報を制御部１０５に出力する。
【００７１】
制御部１０５は、無線リソース制御部１０３から入力された制御情報に基づき、下りリンク共用チャネルおよび下りリンク制御チャネルの無線リソース割り当て・変調方式・符号化率の制御を送信処理部１０７に対して行なう。
【００７２】
また、制御部１０５は、制御情報に基づき、下りリンク制御チャネルを用いて送信する制御データを生成し、送信処理部１０７に出力する。また、制御部１０５は、無線リソース制御部１０３から入力された同期ずれを調整する制御情報、参照用上りリンクパイロットチャネルの無線リソース割り当てを示す制御情報、上りリンク要素周波数帯域を第２の接続状態から第１の接続状態に移行させる旨を示すメッセージなどを送信処理部１０７を介して移動局装置に送信するように制御を行なう。
【００７３】
制御部１０５は、無線リソース制御部１０３から入力された制御情報に基づき、上りリンク共用チャネルおよび上りリンク制御チャネルの無線リソース割り当て・変調方式・符号化率の制御を受信処理部１０１に対して行なう。また、制御部１０５は、無線リソース制御部１０３から入力された制御情報に基づき、参照用上りリンクパイロットチャネルの上りリンク参照信号の測定の制御を受信処理部１０１に対して行なう。例えば、制御部１０５は、無線リソース制御部１０３から入力された上りリンク要素周波数帯域の接続状態を示す情報に基づき、参照用上りリンクパイロットチャネルの上りリンク参照信号の測定の制御を受信処理部１０１に対して行なう。
【００７４】
また、制御部１０５は、受信処理部１０１より入力された上りリンク要素周波数帯域の同期ずれを示す情報を無線リソース制御部１０３に出力する。また、制御部１０５は、移動局装置５によって上りリンク制御チャネルを用いて送信された制御データが受信処理部１０１より入力され、入力された制御データを無線リソース制御部１０３に出力する。
【００７５】
送信処理部１０７は、制御部１０５から入力された制御信号に基づき下りリンク制御チャネル、下りリンク共用チャネルを用いて送信する信号を生成して、送信アンテナを介して送信する。送信処理部１０７は、無線リソース制御部１０３から入力された、上りリンク要素周波数帯域の同期ずれを調整する制御情報、参照用上りリンクパイロットチャネルの無線リソース割り当てを示す制御情報などからなる制御情報、上りリンク要素周波数帯域を第２の接続状態から第１の接続状態に移行させる旨を示すメッセージ、上位層から入力された情報データを下りリンク共用チャネルを用いて送信し、制御部１０５から入力された制御データを下りリンク制御チャネルを用いて送信する。なお、説明の簡略化のため、以降、情報データは数種の制御情報を含むものとする。送信処理部１０７の詳細については、後述する。
【００７６】
＜基地局装置の送信処理部１０７の構成＞
以下、基地局装置３の送信処理部１０７の詳細について説明する。図５は、本発明の実施形態に係る基地局装置３の送信処理部１０７の概略構成を示すブロック図である。この図に示すように、送信処理部１０７は、複数の下りリンク共用チャネル処理部２０１−１〜２０１−Ｍ、複数の下りリンク制御チャネル処理部２０３−１〜２０３−Ｍ、下りリンクパイロットチャネル処理部２０５、多重部２０７、ＩＦＦＴ（Inverse Fast Fourier Transform；高速逆フーリエ変換）部２０９、ＧＩ（Guard Interval；ガードインターバル）挿入部２１１、Ｄ／Ａ（Digital/Analog；ディジタルアナログ変換）部２１３、送信ＲＦ（Radio Frequency；無線周波数）部２１５、および、送信アンテナ１１１を含んで構成される。なお、各下りリンク共用チャネル処理部２０１−１〜２０１−Ｍ、各下りリンク制御チャネル処理部２０３−１〜２０３−Ｍは、それぞれ、同様の構成および機能を有するので、その一つを代表して説明する。
【００７７】
また、この図に示すように、下りリンク共用チャネル処理部２０１−１〜２０１−Ｍは、それぞれ、ターボ符号部２１９、および、データ変調部２２１、を備える。また、この図に示すように、下りリンク制御チャネル処理部２０３−１〜２０３−Ｍは、畳み込み符号部２２３、および、ＱＰＳＫ変調部２２５、を備える。下りリンク共用チャネル処理部２０１−１〜２０１−Ｍは、移動局装置５への情報データをＯＦＤＭ方式で伝送するためのベースバンド信号処理を行なう。ターボ符号部２１９は、入力された情報データを、制御部１０５から入力された符号化率で、データの誤り耐性を高めるためのターボ符号化を行ない、データ変調部２２１に出力する。データ変調部２２１は、ターボ符号部２１９が符号化した符号データを、制御部１０５から入力された変調方式、例えば、ＱＰＳＫ、１６ＱＡＭ、６４ＱＡＭのような変調方式で変調し、変調シンボルの信号系列を生成する。データ変調部２２１は、生成した信号系列を、多重部２０７に出力する。
【００７８】
下りリンク制御チャネル処理部２０３−１〜２０３−Ｍは、制御部１０５から入力された制御データを、ＯＦＤＭ方式で伝送するためのベースバンド信号処理を行なう。畳み込み符号部２２３は、制御部１０５から入力された符号化率に基づき、制御データの誤り耐性を高めるための畳み込み符号化を行なう。ここで、制御データはビット単位で制御される。また、畳み込み符号部２２３は、制御部１０５から入力された符号化率に基づき、畳み込み符号化処理を行なったビットに対して出力ビットの数を調整するためにレートマッチングも行なう。畳み込み符号部２２３は、符号化した制御データをＱＰＳＫ変調部２２５に出力する。ＱＰＳＫ変調部２２５は、畳み込み符号部２２３が符号化した制御データを、ＱＰＳＫ変調方式で変調し、変調した変調シンボルの信号系列を、多重部２０７に出力する。下りリンクパイロットチャネル処理部２０５は、移動局装置５において既知の信号である下りリンク参照信号（Ｃｅｌｌ  ｓｐｅｃｉｆｉｃ  ＲＳとも称す。）を生成し、多重部２０７に出力する。
【００７９】
多重部２０７は、下りリンクパイロットチャネル処理部２０５から入力された信号と、下りリンク共用チャネル処理部２０１−１〜２０３１Ｍの各々から入力された信号と、下りリンク制御チャネル処理部２０３−１〜２０３−Ｍの各々から入力された信号とを、制御部１０５からの指示に従って、下りリンク無線フレームに多重する。無線リソース制御部１０３によって設定された下りリンク共用チャネルの無線リソース割り当て、下りリンク制御チャネルの無線リソース割り当てに関する制御情報が、制御部１０５に入力され、その制御情報に基づき、制御部１０５は多重部２０７の処理を制御する。
【００８０】
なお、多重部２０７は、下りリンク共用チャネルと下りリンク制御チャネル間の多重を、図２に示したように時間多重で行なう。また、多重部２０７は、下りリンクパイロットチャネルと、その他のチャネル間の多重は時間・周波数多重で行なう。また、多重部２０７は、各移動局装置５宛ての下りリンク共用チャネルの多重を下りリンクリソースブロックペア単位で行ない、１つの移動局装置５に対して複数の下りリンクリソースブロックペアを用いて下りリンク共用チャネルを多重することもある。また、多重部２０７は、各移動局装置５宛ての下りリンク制御チャネルの多重を同一の下りリンク要素周波数帯域内であり、ばらばらに分散した下りリンクリソースエレメントを複数用いて行なう。多重部２０７は、多重化した信号を、ＩＦＦＴ部２０９に出力する。
【００８１】
ＩＦＦＴ部２０９は、多重部２０７が多重化した信号を高速逆フーリエ変換し、ＯＦＤＭ方式の変調を行ない、ＧＩ挿入部２１１に出力する。ＧＩ挿入部２１１は、ＩＦＦＴ部２０９がＯＦＤＭ方式の変調を行なった信号に、ガードインターバルを付加することで、ＯＦＤＭ方式におけるシンボルからなるベースバンドのディジタル信号を生成する。周知のように、ガードインターバルは、伝送するシンボルの先頭または末尾の一部を複製することによって生成される。ＧＩ挿入部２１１は、生成したベースバンドのディジタル信号をＤ／Ａ部２１３に出力する。Ｄ／Ａ部２１３は、ＧＩ挿入部２１１から入力されたベースバンドのディジタル信号をアナログ信号に変換し、送信ＲＦ部２１５に出力する。送信ＲＦ部２１５は、Ｄ／Ａ部２１３から入力されたアナログ信号から、中間周波数の同相成分および直交成分を生成し、中間周波数帯域に対する余分な周波数成分を除去する。次に、送信ＲＦ部２１５は、中間周波数の信号を高周波数の信号に変換（アップコンバート）し、余分な周波数成分を除去し、電力増幅し、送信アンテナを介して、移動局装置５に送信する。
【００８２】
＜基地局装置の受信処理部１０１の構成＞
以下、基地局装置３の受信処理部１０１の詳細について説明する。図６は、本発明の実施形態に係る基地局装置３の受信処理部１０１の概略構成を示すブロック図である。この図に示すように、受信処理部１０１は、受信ＲＦ部３０１、Ａ／Ｄ（Analog/Digital；アナログディジタル変換）部３０３、要素周波数帯域分離部３０５、複数の上りリンク要素周波数帯域毎受信処理部３０７−１〜３０７−Ｍ、を含んで構成される。また、この図に示すように、上りリンク要素周波数帯域毎受信処理部３０７−１〜３０７−Ｍは、シンボルタイミング検出部３０９、ＧＩ除去部３１１、同期ずれ測定部３１２、ＦＦＴ部３１３、サブキャリアデマッピング部３１４、伝搬路推定部３１７、上りリンク共用チャネル用の伝搬路等化部３１９、上りリンク制御チャネル用の伝搬路等化部３２１、ＩＤＦＴ部３２３、データ復調部３２５、ターボ復号部３２７、上りリンク制御チャネル検出部３２９、および上りリンクチャネル品質測定部３３１を備える。なお、各上りリンク要素周波数帯域毎受信処理部３０７−１〜３０７−Ｍは、同様の構成および機能を有するので、その一つを代表して説明する。
【００８３】
受信ＲＦ部３０１は、受信アンテナ１０９で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。受信ＲＦ部３０１は、直交復調したアナログ信号を、Ａ／Ｄ部３０３に出力する。Ａ／Ｄ部３０３は、受信ＲＦ部３０１が直交復調したアナログ信号をディジタル信号に変換し、変換したディジタル信号を要素周波数帯域分離部３０５に出力する。要素周波数帯域分離部３０５は、上りリンクシステム帯域幅の上りリンク要素周波数帯域毎に受信信号を分離し、各上りリンク要素周波数帯域毎受信処理部３０７−１〜３０７−Ｍに出力する。
【００８４】
上りリンク要素周波数帯域毎受信処理部３０７−１〜３０７−Ｍは、上りリンク要素周波数帯域内の上りリンク共用チャネル、上りリンク制御チャネルの復調、復号を行ない、情報データ、制御データを検出する。また、上りリンク要素周波数帯域毎受信処理部３０７−１〜３０７−Ｍは、上りリンクのチャネル品質の測定、同期ずれの測定を行なう。
【００８５】
同期ずれ測定部３１２は、要素周波数帯域分離部３０５より入力された信号に基づいて、同期ずれの測定を行なう。例えば、同期ずれ測定部３１２は、自装置が移動局装置５に送信を指示した参照用上りリンクパイロットチャネルの無線リソース割り当てに関する情報を制御部１０５から入力され、入力された情報に基づき上りリンク参照信号の時間領域の信号を予め用意し、用意した信号と受信信号との相関値を検出し、検出した相関値が最も大きな値を示すタイミングとセル内で一意に決められたタイミングとのずれを測定する。同期ずれ測定部３１２は、測定した同期ずれを示す情報を制御部１０５へ出力する。
【００８６】
シンボルタイミング検出部３０９は、要素周波数帯域分離部３０５より入力された信号に基づいて、シンボルのタイミングを検出し、検出したシンボル境界のタイミングを示す制御信号を、ＧＩ除去部３１１に出力する。ＧＩ除去部３１１は、シンボルタイミング検出部３０９からの制御信号に基づいて、要素周波数帯域分離部３０５より入力された信号からガードインターバルに相当する部分を除去し、残りの部分の信号を、ＦＦＴ部３１３に出力する。ＦＦＴ部３１３は、ＧＩ除去部３１１から入力された信号を高速フーリエ変換し、ＤＦＴ−Ｓｐｒｅａｄ−ＯＦＤＭ方式の復調を行ない、サブキャリアデマッピング部３１４に出力する。なお、ＦＦＴ部３１３のポイント数は、後述する移動局装置５のＩＦＦＴ部のポイント数と等しい。
【００８７】
サブキャリアデマッピング部３１４は、制御部１０５から入力された制御信号に基づき、ＦＦＴ部３１３が復調した信号を、上りリンクパイロットチャネル（復調用上りリンクパイロットチャネルと参照用上りリンクパイロットチャネル）の信号と、上りリンク共用チャネルの信号と、上りリンク制御チャネルの信号とに分離する。サブキャリアデマッピング部３１４は、分離した復調用上りリンクパイロットチャネルの信号を伝搬路推定部３１７に出力し、分離した上りリンク共用チャネルの信号を上りリンク共用チャネル用の伝搬路等化部３１９に出力し、分離した上りリンク制御チャネルの信号を上りリンク制御チャネル用の伝搬路等化部３２１に出力し、また、分離した参照用上りリンクパイロットチャネルの信号を上りリンクチャネル品質測定部３３１に出力する。
【００８８】
伝搬路推定部３１７は、サブキャリアデマッピング部３１４が分離した復調用上りリンクパイロットチャネルの上りリンク参照信号と既知の信号を用いて伝搬路の変動を推定する。伝搬路推定部３１７は、推定した伝搬路推定値を、上りリンク共用チャネル用の伝搬路等化部３１９と、上りリンク制御チャネル用の伝搬路等化部３２１に出力する。上りリンク共用チャネル用の伝搬路等化部３１９は、サブキャリアデマッピング部３１４が分離した上りリンク共用チャネルの信号の振幅および位相を、伝搬路推定部３１７から入力された伝搬路推定値に基づいて等化する。ここで、等化とは、信号が無線通信中に受けた伝搬路の変動を元に戻す処理のことを表す。上りリンク共用チャネル用の伝搬路等化部３１９は、調整した信号をＩＤＦＴ部３２３に出力する。
【００８９】
ＩＤＦＴ部３２３は、上りリンク共用チャネル用の伝搬路等化部３１９から入力された信号を離散逆フーリエ変換し、データ復調部３２５に出力する。データ復調部３２５は、ＩＤＦＴ部３２３が変換した上りリンク共用チャネルの信号の復調を行ない、復調した上りリンク共用チャネルの信号をターボ復号部３２７に出力する。この復調は、移動局装置５のデータ変調部で用いられる変調方式に対応した復調であり、変調方式は制御部１０５より入力される。ターボ復号部３２７は、データ復調部３２５から入力され、復調された上りリンク共用チャネルの信号から、情報データを復号する。符号化率は、制御部１０５より入力される。
【００９０】
上りリンク制御チャネル用の伝搬路等化部３２１は、サブキャリアデマッピング部３１４で分離された上りリンク制御チャネルの信号の振幅および位相を、伝搬路推定部３１７から入力された伝搬路推定値に基づいて等化する。上りリンク制御チャネル用の伝搬路等化部３２１は、等化した信号を上りリンク制御チャネル検出部３２９に出力する。上りリンク制御チャネル検出部３２９は、上りリンク制御チャネル用の伝搬路等化部３２１から入力された信号を復調、復号し、制御データを検出する。上りリンク制御チャネル検出部３２９は、検出した制御データを制御部１０５に出力する。
【００９１】
上りリンクチャネル品質測定部３３１は、サブキャリアデマッピング部３１４から入力された参照用上りリンクパイロットチャネルの上りリンク参照信号を用いてチャネル品質を測定し、上りリンクリソースブロックのチャネル品質の測定結果を制御部１０５に出力する。
【００９２】
制御部１０５は、基地局装置３が、移動局装置５に下りリンク制御チャネルを用いて送信した制御データ、下りリンク共用チャネルを用いて送信した制御情報に基づいて、同期ずれ測定部３１２、サブキャリアデマッピング部３１４、データ復調部３２５、ターボ復号部３２７、伝搬路推定部３１７、上りリンク制御チャネル検出部３２９、および上りリンクチャネル品質測定部３３１の制御を行なう。また、制御部１０５は、基地局装置３が移動局装置５に送信した制御データ、制御情報に基づき、各移動局装置５が送信した上りリンク共用チャネル、上りリンク制御チャネル、参照用上りリンクパイロットチャネルがどの無線リソースに配置されているか把握している。
【００９３】
＜移動局装置の全体構成＞
以下、図７、図８、図９を用いて、本実施形態に係る移動局装置５の構成について説明する。図７は、本発明の実施形態に係る移動局装置５の概略構成を示すブロック図である。この図に示すように、移動局装置５は、受信処理部４０１、制御部４０３、無線パラメータ制御部４０５、送信処理部４０７を含んで構成される。また、制御部４０３は、接続状態判断部４０３ａ、参照信号選択部４０３ｂを備える。
【００９４】
受信処理部４０１は、基地局装置３から信号を受信し、制御部４０３の指示に従い、受信信号を復調、復号する。受信処理部４０１は、自装置宛ての下りリンク制御チャネルの信号を検出した場合は、下りリンク制御チャネルの信号を復号して取得した制御データを制御部４０３に出力する。また、受信処理部４０１は、下りリンク制御チャネルに含まれる制御データを制御部４０３に出力した後の制御部４０３の指示に基づき、自装置宛ての下りリンク共用チャネルを復号して得た情報データを、制御部４０３を介して上位層に出力する。
【００９５】
また、受信処理部４０１は、下りリンク共用チャネルを復号して得た基地局装置３の無線リソース制御部１０３で生成された制御情報を制御部４０３に出力し、また制御部４０３を介して無線パラメータ制御部４０５に出力する。例えば、無線リソース制御部１０３で生成された制御情報は、上りリンク要素周波数帯域の同期ずれを調整する制御情報、参照用上りリンクパイロットチャネルの無線リソース割り当て（送信周期、上りリンクリソースブロック）を示す制御情報、上りリンク要素周波数帯域を第２の接続状態から第１の接続状態に移行させる旨を示すメッセージを含む。また、受信処理部４０１は、各下りリンク要素周波数帯域の下りリンクパイロットチャネルの下りリンク参照信号を用いて下りリンクのチャネル品質を測定し、測定結果を制御部４０３に出力する。受信処理部４０１の詳細については後述する。
【００９６】
制御部４０３は、接続状態判断部４０３ａ、参照信号選択部４０３ｂを備える。制御部４０３は、下りリンク共用チャネルを用いて送信され、受信処理部４０１より入力されたデータを確認し、データの中で情報データを上位層に出力し、データの中で基地局装置３の無線リソース制御部１０３で生成された制御情報に基づいて、受信処理部４０１、送信処理部４０７を制御する。例えば、制御部４０３は、上りリンク要素周波数帯域の同期ずれを調整する制御情報に基づき、送信処理部４０７の各上りリンク要素周波数帯域の信号の送信タイミングを制御する。また、同様に、制御部４０３は、下りリンク制御チャネルを用いて送信され、受信処理部４０１より入力された制御データに基づいて、受信処理部４０１、送信処理部４０７を制御する。
【００９７】
また、制御部４０３は、制御データ、上りリンク要素周波数帯域を第２の接続状態から第１の接続状態に移行させる旨を示すメッセージに基づき、自装置と基地局装置３との接続状態を判断し、無線パラメータ制御部４０５から入力された各接続状態用の参照用上りリンクパイロットチャネルのパラメータから、自装置の基地局装置３との接続状態に応じてパラメータを選択し、選択したパラメータの参照用上りリンクパイロットチャネルの上りリンク参照信号が送信されるように送信処理部４０７を制御する。制御部４０３の接続状態判断部４０３ａが自装置と基地局装置３との接続状態を判断し、参照信号選択部４０３ｂが参照用上りリンクパイロットチャネルのパラメータを選択する。
【００９８】
接続状態判断部４０３ａは、自装置と基地局装置３との上りリンクの同期が維持され、上りリンク共用チャネルの信号の送信用の無線リソース割り当てが行なわれる接続状態（第１の接続状態）と、自装置と基地局装置３との上りリンクの同期が維持され、上りリンク共用チャネルの信号の送信用の無線リソース割り当てが行なわれない接続状態（第２の接続状態）のいずれの接続状態かを判断する。接続状態判断部４０３ａは、自装置と基地局装置３との接続開始時など、初期設定として第１の接続状態と判断する。接続状態判断部４０３ａは、第１の接続状態において上りリンク共用チャネルの無線リソースが一定期間の間、基地局装置３より割り当てられなかった場合に第２の接続状態と判断する。接続状態判断部４０３ａは、第２の接続状態において基地局装置３より下りリンク共用チャネルを用いて第１の接続状態に移行するように指示されたメッセージを通知された場合に第１の接続状態に移行する。接続状態判断部４０３ａは、判断した接続状態を示す情報を参照信号選択部４０３ｂに出力する。
【００９９】
参照信号選択部４０３ｂは、無線パラメータ制御部４０５から各接続状態用の参照用上りリンクパイロットチャネルの上りリンク参照信号のパラメータ（送信周期、上りリンクリソースブロック）が入力され、そのパラメータを記憶している。参照信号選択部４０３ｂは、接続状態判断部から入力された接続状態を示す情報に基づき参照用上りリンクパイロットチャネルの上りリンク参照信号のパラメータを選択する。参照信号選択部４０３ｂは、接続状態判断部４０３ａから入力された情報が第１の接続状態を示していた場合、第１の接続状態用の参照用上りリンクパイロットチャネルの上りリンク参照信号のパラメータを選択し、接続状態判断部４０３ａから入力された情報が第２の接続状態を示していた場合、第２の接続状態用の参照用上りリンクパイロットチャネルの上りリンク参照信号のパラメータを選択する。制御部４０３は、参照信号選択部４０３ｂにおいて選択されたパラメータの参照用上りリンクパイロットチャネルの上りリンク参照信号を送信するように送信処理部４０７を制御する。
【０１００】
無線パラメータ制御部４０５は、基地局装置３の無線リソース制御部１０３で生成され、基地局装置３より通知された制御情報で示される各種パラメータを保持すると共に、制御部４０３を介して受信処理部４０１、送信処理部４０７のパラメータ制御を行なう。例えば、無線パラメータ制御部４０５は、参照用上りリンクパイロットチャネルの無線リソース割り当て（送信周期、上りリンクリソースブロック）、上りリンク共用チャネルと上りリンク制御チャネルと上りリンクパイロットチャネルの送信電力、上りリンク制御チャネルの無線リソース割り当てなどに関するパラメータが通知される。無線パラメータ制御部４０５は、第１の接続状態用の参照用上りリンクパイロットチャネルの無線リソース割り当て、第２の接続状態用の参照用上りリンクパイロットチャネルの無線リソース割り当てに関するパラメータが通知され、制御部４０３に出力する。
【０１０１】
送信処理部４０７は、制御部４０３の指示に従い、情報データ、制御データを符号化し、変調した信号を上りリンクの無線リソースに配置して、基地局装置３に送信アンテナを介して送信する。また、送信処理部４０７は、制御部４０３の指示に従い、参照用上りリンクパイロットチャネルの上りリンク参照信号を送信する。また、送信処理部４０７は、制御部４０３によって各上りリンク要素周波数帯域の送信タイミングを制御される。送信処理部４０７の詳細については後述する。
【０１０２】
＜移動局装置の受信処理部４０１＞
以下、移動局装置５の受信処理部４０１の詳細について説明する。図８は、本発明の実施形態に係る移動局装置５の受信処理部４０１の概略構成を示すブロック図である。この図に示すように、受信処理部４０１は、受信ＲＦ部５０１、Ａ／Ｄ部５０３、シンボルタイミング検出部５０５、ＧＩ除去部５０７、ＦＦＴ部５０９、多重分離部５１１、伝搬路推定部５１３、下りリンクチャネル品質測定部５１５、下りリンク共用チャネル用の伝搬路補償部５１７、下りリンク共用チャネル復号部５１９、下りリンク制御チャネル用の伝搬路補償部５２１、および、下りリンク制御チャネル復号部５２３、を含んで構成される。また、この図に示すように、下りリンク共用チャネル復号部５１９は、データ復調部５２５、および、ターボ復号部５２７、を備える。また、この図に示すように、下りリンク制御チャネル復号部５２３は、ＱＰＳＫ復調部５２９、および、ビタビデコーダ部５３１、を備える。
【０１０３】
受信ＲＦ部５０１は、受信アンテナ４１１で受信した信号を、適切に増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。
【０１０４】
受信ＲＦ部５０１は、直交復調したアナログ信号を、Ａ／Ｄ部５０３に出力する。Ａ／Ｄ部５０３は、受信ＲＦ部５０１が直交復調したアナログ信号をディジタル信号に変換し、変換したディジタル信号を、シンボルタイミング検出部５０５と、ＧＩ除去部５０７と、に出力する。シンボルタイミング検出部５０５は、Ａ／Ｄ部５０３が変換したディジタル信号に基づいて、シンボルのタイミングを検出し、検出したシンボル境界のタイミングを示す制御信号を、ＧＩ除去部５０７に出力する。ＧＩ除去部５０７は、シンボルタイミング検出部５０５からの制御信号に基づいて、Ａ／Ｄ部５０３の出力したディジタル信号からガードインターバルに相当する部分を除去し、残りの部分の信号を、ＦＦＴ部５０９に出力する。ＦＦＴ部５０９は、ＧＩ除去部５０７から入力された信号を高速フーリエ変換し、ＯＦＤＭ方式の復調を行ない、多重分離部５１１に出力する。
【０１０５】
多重分離部５１１は、制御部４０３から入力された制御信号に基づき、ＦＦＴ部５０９が復調した信号を、下りリンク制御チャネルの信号と、下りリンク共用チャネルの信号とに分離する。多重分離部５１１は、分離した下りリンク共用チャネルの信号を、下りリンク共用チャネル用の伝搬路補償部５１７に出力し、また、分離した下りリンク制御チャネルの信号を、下りリンク制御チャネル用の伝搬路補償部５２１に出力する。また、多重分離部５１１は、下りリンクパイロットチャネルが配置される下りリンクリソースエレメントを分離し、下りリンクパイロットチャネルの下りリンク参照信号を、伝搬路推定部５１３と、下りリンクチャネル品質測定部５１５に出力する。
【０１０６】
伝搬路推定部５１３は、多重分離部５１１が分離した下りリンクパイロットチャネルの下りリンク参照信号と既知の信号とを用いて伝搬路の変動を推定し、伝搬路の変動を補償するように、振幅および位相を調整するための伝搬路補償値を、下りリンク共用チャネル用の伝搬路補償部５１７と、下りリンク制御チャネル用の伝搬路補償部５２１に出力する。下りリンクチャネル品質測定部５１５は、下りリンクパイロットチャネルの下りリンク参照信号を用いて下りリンクのチャネル品質を測定し、下りリンクのチャネル品質の測定結果を制御部４０３に出力する。下りリンク共用チャネル用の伝搬路補償部５１７は、多重分離部５１１が分離した下りリンク共用チャネルの信号の振幅および位相を、伝搬路推定部５１３から入力された伝搬路補償値に従って調整する。下りリンク共用チャネル用の伝搬路補償部５１７は、伝搬路を調整した信号を下りリンク共用チャネル復号部５１９のデータ復調部５２５に出力する。
【０１０７】
下りリンク共用チャネル復号部５１９は、制御部４０３からの指示に基づき、下りリンク共用チャネルの復調、復号を行ない、情報データを検出する。データ復調部５２５は、伝搬路補償部５１７から入力された下りリンク共用チャネルの信号の復調を行ない、復調した下りリンク共用チャネルの信号をターボ復号部５２７に出力する。この復調は、基地局装置３のデータ変調部で用いられる変調方式に対応した復調である。ターボ復号部５２７は、データ復調部５２５から入力され、復調された下りリンク共用チャネルの信号から情報データを復号し、制御部４０３を介して上位層に出力する。なお、下りリンク共用チャネルを用いて送信された、基地局装置３の無線リソース制御部１０３で生成された制御情報等も制御部４０３に出力され、制御部４０３を介して無線パラメータ制御部４０５にも出力される。
【０１０８】
下りリンク制御チャネル用の伝搬路補償部５２１は、多重分離部５１１が分離した下りリンク制御チャネルの信号の振幅および位相を、伝搬路推定部５１３から入力された伝搬路補償値に従って調整する。下りリンク制御チャネル用の伝搬路補償部５２１は、調整した信号を下りリンク制御チャネル復号部５２３のＱＰＳＫ復調部５２９に出力する。
【０１０９】
下りリンク制御チャネル復号部５２３は、以下のように、伝搬路補償部５２１から入力された信号を復調、復号し、制御データを検出する。ＱＰＳＫ復調部５２９は、下りリンク制御チャネルの信号に対してＱＰＳＫ復調を行ない、ビタビデコーダ部５３１に出力する。ビタビデコーダ部５３１は、ＱＰＳＫ復調部５２９が復調した信号を復号し、復号した制御データを制御部４０３に出力する。ここで、この信号はビット単位で表現され、ビタビデコーダ部５３１は、入力ビットに対してビタビデコーディング処理を行なうビットの数を調整するためにレートデマッチングも行なう。
【０１１０】
なお、制御部４０３は、ビタビデコーダ部５３１より入力された制御データが誤りなく、自装置宛ての制御データかを判定し、誤りなく、自装置宛ての制御データと判定した場合、制御データに基づいて多重分離部５１１、データ復調部５２５、ターボ復号部５２７、および送信処理部４０７、を制御する。例えば、制御部４０３は、制御データが上りリンク共用チャネルの無線リソース割り当ての情報を含んでいた場合、送信処理部４０７に無線リソースを割り当てられた上りリンク要素周波数帯域で上りリンク共用チャネルの信号を送信するように制御する。
【０１１１】
また、制御部４０３の接続状態判断部４０３ａは、制御データの上りリンク共用チャネルの無線リソース割り当ての情報に基づいて、各上りリンク要素周波数帯域の自装置と基地局装置３との接続状態を判断する。
【０１１２】
＜移動局装置の送信処理部４０７＞
図９は、本発明の実施形態に係る移動局装置５の送信処理部４０７の概略構成を示すブロック図である。この図に示すように、送信処理部４０７は、複数の上りリンク要素周波数帯域毎送信処理部６０１−１〜６０１−Ｍ、要素周波数帯域合成部６０３、Ｄ／Ａ部６０５、送信ＲＦ部６０７、および、送信アンテナ４１３を含んで構成される。また、この図に示すように、上りリンク要素周波数帯域毎送信処理部６０１−１〜６０１−Ｍは、ターボ符号部６１１、データ変調部６１３、ＤＦＴ部６１５、上りリンクパイロットチャネル処理部６１７、上りリンク制御チャネル処理部６１９、サブキャリアマッピング部６２１、ＩＦＦＴ部６２３、および、ＧＩ挿入部６２５、を備える。移動局装置５は、対応する数の上りリンク要素周波数帯域分の上りリンク要素周波数帯域毎送信処理部６０１−１〜６０１−Ｍを有する。なお、各上りリンク要素周波数帯域毎送信処理部６０１−１〜６０１−Ｍは、同様の構成および機能を有するので、その一つを代表して説明する。
【０１１３】
上りリンク要素周波数帯域毎送信処理部６０１−１〜６０１−Ｍは、情報データ、制御データに対して符号化、変調を行ない、上りリンク要素周波数帯域内の上りリンク共用チャネル、上りリンク制御チャネルを用いて送信する信号を生成する。ターボ符号部６１１は、入力された情報データを、制御部４０３から指示された符号化率で、データの誤り耐性を高めるためのターボ符号化を行ない、データ変調部６１３に出力する。データ変調部６１３は、ターボ符号部６１１が符号化した符号データを、制御部４０３から指示された変調方式、例えば、ＱＰＳＫ、１６ＱＡＭ、６４ＱＡＭのような変調方式で変調し、変調シンボルの信号系列を生成する。データ変調部６１３は、生成した変調シンボルの信号系列を、ＤＦＴ部６１５に出力する。
【０１１４】
ＤＦＴ部６１５は、データ変調部６１３が出力した信号を離散フーリエ変換し、サブキャリアマッピング部６２１に出力する。上りリンク制御チャネル処理部６１９は、制御部４０３から入力された制御データを伝送するためのベースバンド信号処理を行なう。上りリンク制御チャネル処理部６１９に入力される制御データは、下りリンクのチャネル品質指標、受信確認応答、スケジューリング要求などである。上りリンク制御チャネル処理部６１９は、ベースバンド信号処理を行ない、生成した信号をサブキャリアマッピング部６２１に出力する。
【０１１５】
上りリンクパイロットチャネル処理部６１７は、復調用上りリンクパイロットチャネルと参照用上りリンクパイロットチャネルに配置する信号として、基地局装置３において既知の信号である上りリンク参照信号を制御部４０３からの指示に基づき生成し、サブキャリアマッピング部６２１に出力する。
【０１１６】
サブキャリアマッピング部６２１は、上りリンクパイロットチャネル処理部６１７から入力された信号と、ＤＦＴ部６１５から入力された信号と、上りリンク制御チャネル処理部６１９から入力された信号とを、制御部４０３からの指示に従ってサブキャリアに配置し、ＩＦＦＴ部６２３に出力する。なお、サブキャリアマッピング部６２１は、参照用上りリンクパイロットチャネルの信号の配置、上りリンク共用チャネル内における復調用上りリンクパイロットチャネルの信号の配置、上りリンク制御チャネル内における復調用上りリンクパイロットチャネルの信号の配置を、図３に示したように配置して、出力する。
【０１１７】
ＩＦＦＴ部６２３は、サブキャリアマッピング部６２１が出力した信号を高速逆フーリエ変換し、ＧＩ挿入部６２５に出力する。ここで、ＩＦＦＴ部６２３のポイント数はＤＦＴ部６１５のポイント数よりも多く、移動局装置５は、ＤＦＴ部６１５、サブキャリアマッピング部６２１、ＩＦＦＴ部６２３を用いることにより、上りリンク共用チャネルを用いて送信する信号に対してＤＦＴ−Ｓｐｒｅａｄ−ＯＦＤＭ方式の変調を行なう。ＧＩ挿入部６２５は、ＩＦＦＴ部６２３から入力された信号に、ガードインターバルを付加し、要素周波数帯域合成部６０３に出力する。
【０１１８】
要素周波数帯域合成部６０３は、各上りリンク要素周波数帯域毎送信処理部６０１−１〜６０１−Ｍより入力された上りリンク要素周波数帯域毎の信号を合成し、Ｄ／Ａ部６０５に出力する。Ｄ／Ａ部６０５は、要素周波数帯域合成部６０３から入力されたベースバンドのディジタル信号をアナログ信号に変換し、送信ＲＦ部６０７に出力する。送信ＲＦ部６０７は、Ｄ／Ａ部６０５から入力されたアナログ信号から、中間周波数の同相成分および直交成分を生成し、中間周波数帯域に対する余分な周波数成分を除去する。次に、送信ＲＦ部６０７は、中間周波数の信号を高周波数の信号に変換（アップコンバート）し、余分な周波数成分を除去し、電力増幅し、送信アンテナ４１３を介して、基地局装置３に送信する。
【０１１９】
以上の構成により、送信処理部４０７は、制御部４０３で選択された参照用上りリンクパイロットチャネルのパラメータの上りリンク参照信号を基地局装置３に送信する。
【０１２０】
＜第１の接続状態と第２の接続状態＞
次に、第１の接続状態と第２の接続状態の詳細について説明する。移動局装置５は、基地局装置３に対して、第１の接続状態と第２の接続状態からなる、複数種類の接続状態のうちいずれか一つの接続状態を取る。第１の接続状態は、移動局装置５と基地局装置３との上りリンクの同期が維持され、上りリンク共用チャネルの信号の送信用の無線リソース割り当てが移動局装置５に対して行なわれる接続状態である。第２の接続状態は、移動局装置５と基地局装置３との上りリンクの同期が維持され、上りリンク共用チャネルの信号の送信用の無線リソース割り当てが移動局装置５に対して行なわれない接続状態である。接続状態は、上りリンク要素周波数帯域毎に管理される。
【０１２１】
基地局装置３は、第１の接続状態にある上りリンク要素周波数帯域に対しては上りリンク共用チャネルの無線リソースの割り当てを行なうか否かをスケジューリングの結果に依存して判断するが、第２の接続状態にある上りリンク要素周波数帯域に対しては上りリンク共用チャネルの無線リソースの割り当てを行なわない。基地局装置３は、第２の接続状態にある上りリンク要素周波数帯域に対して上りリンク共用チャネルの無線リソースの割り当てを行なう必要性があると判断した場合、その上りリンク要素周波数帯域を第１の接続状態に移行させた後で上りリンク共用チャネルの無線リソースの割り当てを行なう。
【０１２２】
移動局装置５は、第１の接続状態にある上りリンク要素周波数帯域に対しては上りリンク共用チャネルの無線リソースの割り当てが行なわれる可能性があると判断して、下りリンクで対応する下りリンク制御チャネル（上りリンク共用チャネルの無線リソース割り当ての情報を含む下りリンク制御チャネル）の監視を行ない、第２の接続状態にある上りリンク要素周波数帯域に対しては上りリンク共用チャネルの無線リソースの割り当てが行なわれる可能性がないと判断して、下りリンクで対応する下りリンク制御チャネルの監視を行なわない。
【０１２３】
基地局装置３と移動局装置５との接続開始時など、基地局装置３と移動局装置５間で上りリンク要素周波数帯域のパラメータの構成を新規に設定、または再設定を行なう場合には、初期設定として上りリンク要素周波数帯域は第１の接続状態と判断される。基地局装置３は、第１の接続状態において上りリンク共用チャネルの無線リソースの割り当てを一定期間の間、行なわなかった場合にその上りリンク要素周波数帯域を第２の接続状態と判断し、移動局装置５は、第１の接続状態において上りリンク共用チャネルの無線リソースの割り当てが一定期間の間、行なわれなかった場合にその上りリンク要素周波数帯域を第２の接続状態と判断する。
【０１２４】
基地局装置３は、第２の接続状態にある上りリンク要素周波数帯域に対して上りリンク共用チャネルの無線リソースの割り当てを行なう必要性があると判断した場合、下りリンク共用チャネルを用いて第１の接続状態に移行するように指示されたメッセージを移動局装置５に通知すると共に、第２の接続状態にあるその上りリンク要素周波数帯域を第１の接続状態と判断する。移動局装置５は、下りリンク共用チャネルを用いて第２の接続状態から第１の接続状態に移行するように指示されたメッセージを基地局装置３から通知された場合に、第２の接続状態にあるその上りリンク要素周波数帯域を第１の接続状態と判断する。
【０１２５】
なお、複数の上りリンク要素周波数帯域の中で一部の上りリンク要素周波数帯域の接続状態は第１の接続状態のみとしてもよい。例えば、移動局装置５が状況に応じて上りリンク制御チャネルを用いて信号を送信するように構成されている上りリンク要素周波数帯域は第１の接続状態のみとしてもよい。本発明の実施形態において、第２の接続状態にある上りリンク要素周波数帯域では上りリンク制御チャネルを用いて信号が送信されないものとする。
【０１２６】
図１０は、本発明の実施形態において、ある移動局装置５が基地局装置３との通信に用いる複数の上りリンク要素周波数帯域の第１の接続状態と第２の接続状態からなる接続状態の遷移の一例を示す図である。なお、ここでは、上りリンク要素周波数帯域が３個の場合について説明する。また、図１０は、ある任意の移動局装置５が基地局装置３との通信に用いる上りリンク要素周波数帯域について示しており、基地局装置３と通信する全ての移動局装置５が図１０に示すような構成の上りリンク要素周波数帯域を用いるわけではない。図１０において、横軸は時間を示す。
【０１２７】
上りリンク要素周波数帯域毎に独立に接続状態が判断されて、設定される。第１の上りリンク要素周波数帯域は、基地局装置３と移動局装置５が通信接続中の間、第１の接続状態に設定され、第２の接続状態には設定されない。
【０１２８】
第２の上りリンク要素周波数帯域は、時間Ｔ１までの間、第１の接続状態に設定され、時間Ｔ１で第１の接続状態から第２の接続状態に遷移し、時間Ｔ１から時間Ｔ２までの間、第２の接続状態に設定され、時間Ｔ２で第２の接続状態から第１の接続状態に遷移し、時間Ｔ２から時間Ｔ３までの間、第１の接続状態に設定され、時間Ｔ３で第１の接続状態から第２の接続状態に遷移し、時間Ｔ３から時間Ｔ４までの間、第２の接続状態に設定され、時間Ｔ４で第２の接続状態から第１の接続状態に遷移し、時間Ｔ４から第１の接続状態に設定される。
【０１２９】
第３の上りリンク要素周波数帯域は、時間Ｔ５までの間、第１の接続状態に設定され、時間Ｔ５で第１の接続状態から第２の接続状態に遷移し、時間Ｔ５から時間Ｔ６までの間、第２の接続状態に設定され、時間Ｔ６で第２の接続状態から第１の接続状態に遷移し、時間Ｔ６から第１の接続状態に設定される。移動局装置５の接続状態判断部は、図１０に示すように、上りリンク要素周波数帯域毎に接続状態を判断する。
【０１３０】
なお、下りリンクチャネル品質指標、受信確認応答、スケジューリング要求の制御データの送信に用いられる上りリンク制御チャネルは第１の上りリンク要素周波数帯域に配置され、上りリンク共用チャネルは第１の上りリンク要素周波数帯域、第２の上りリンク要素周波数帯域、第３の上りリンク要素周波数帯域に第１の接続状態の間で配置される。
【０１３１】
＜第１の接続状態用の参照用上りリンクパイロットチャネルと第２の接続状態用の参照用上りリンクパイロットチャネル＞
次に、第１の接続状態用の参照用上りリンクパイロットチャネルと第２の接続状態用の参照用上りリンクパイロットチャネルの詳細について説明する。図１１Ａおよび図１１Ｂは、本発明の実施形態において、第１の接続状態用の参照用上りリンクパイロットチャネルと第２の接続状態用の参照用上りリンクパイロットチャネルの上りリンク参照信号の送信周期の一例を示す図である。なお、説明の簡略化のため、図１１Ａおよび図１１Ｂでは、周期的に配置された調査参照信号サブフレームにおける上りリンク参照信号の送信周期について示す。
【０１３２】
図１１Ａは、第１の接続状態用の参照用上りリンクパイロットチャネルの送信周期の一例を示す。図１１Ａでは、第１の接続状態用の参照用上りリンクパイロットチャネルは、送信周期として４個の調査参照信号サブフレーム間隔の調査参照信号サブフレーム（調査参照信号サブフレーム１、調査参照信号サブフレーム５、調査参照信号サブフレーム９、調査参照信号サブフレーム１３、調査参照信号サブフレーム１７）に対応する上りリンク参照信号が配置される。
【０１３３】
図１１Ｂは、第２の接続状態用の参照用上りリンクパイロットチャネルの送信周期の一例を示す。図１１Ｂでは、第２の接続状態用の参照用上りリンクパイロットチャネルは、送信周期として１０個の調査参照信号サブフレーム間隔の調査参照信号サブフレーム（調査参照信号サブフレーム１、調査参照信号サブフレーム１１）に対応する上りリンク参照信号が配置される。
【０１３４】
基地局装置３は、図１１Ａおよび図１１Ｂに示すような各接続状態用の参照用上りリンクパイロットチャネルの上りリンク参照信号の送信周期のパラメータを移動局装置５に通知し、移動局装置５の無線パラメータ制御部は、基地局装置３より通知されたパラメータに基づき、第１の接続状態用の参照用上りリンクパイロットチャネルの上りリンク参照信号と第２の接続状態用の参照用上りリンクパイロットチャネルの上りリンク参照信号に対して異なる送信周期のパラメータを設定する。
【０１３５】
また、図１１Ａおよび図１１Ｂに示すように、無線パラメータ制御部は、第１の接続状態用の参照用上りリンクパイロットチャネルの上りリンク参照信号の送信周期よりも長い送信周期のパラメータを第２の接続状態用の参照用上りリンクパイロットチャネルの上りリンク参照信号に対して設定する。
【０１３６】
図１０において、第１の上りリンク要素周波数帯域では、基地局装置３と移動局装置５が通信接続中の間、図１１Ａに示す送信周期の参照用上りリンクパイロットチャネルの上りリンク参照信号が設定される。
【０１３７】
第２の上りリンク要素周波数帯域では、時間Ｔ１までの間、図１１Ａに示す送信周期の参照用上りリンクパイロットチャネルの上りリンク参照信号が設定され、時間Ｔ１から時間Ｔ２までの間、図１１Ｂに示す送信周期の参照用上りリンクパイロットチャネルの上りリンク参照信号が設定され、時間Ｔ２から時間Ｔ３までの間、図１１Ａに示す送信周期の参照用上りリンクパイロットチャネルの上りリンク参照信号が設定され、時間Ｔ３から時間Ｔ４までの間、図１１Ｂに示す送信周期の参照用上りリンクパイロットチャネルの上りリンク参照信号が設定され、時間Ｔ４から図１１Ａに示す送信周期の参照用上りリンクパイロットチャネルの上りリンク参照信号が設定される。
【０１３８】
第３の上りリンク要素周波数帯域では、時間Ｔ５までの間、図１１Ａに示す送信周期の参照用上りリンクパイロットチャネルの上りリンク参照信号が設定され、時間Ｔ５から時間Ｔ６まで間、図１１Ｂに示す送信周期の参照用上りリンクパイロットチャネルの上りリンク参照信号が設定され、時間Ｔ６から図１１Ａに示す送信周期の参照用上りリンクパイロットチャネルの上りリンク参照信号が設定される。
【０１３９】
＜参照用上りリンクパイロットチャネルの上りリンク参照信号のパラメータの選択のフローチャート＞
図１２は、本発明の実施形態に係る移動局装置５の参照用上りリンクパイロットチャネルの上りリンク参照信号のパラメータの選択に関する処理の一例を示すフローチャートである。接続状態判断部は、上りリンク要素周波数帯域に対して第１の接続状態か否かを判定する（ステップＳ１０１）。接続状態判断部が第１の接続状態であると判定した場合、参照信号選択部は第１の接続状態用の参照用上りリンクパイロットチャネルの上りリンク参照信号のパラメータを選択する（ステップＳ１０２）。一方、接続状態判断部が第１の接続状態ではないと判定した場合、つまり第２の接続状態であると判定した場合、参照信号選択部は第２の接続状態用の参照用上りリンクパイロットチャネルの上りリンク参照信号のパラメータを選択する（ステップＳ１０３）。
【０１４０】
ステップＳ１０２、およびステップＳ１０３の後、移動局装置５は、１個の上りリンク要素周波数帯域に対する参照用上りリンクパイロットチャネルの上りリンク参照信号のパラメータの選択に関する処理を終了し、異なる上りリンク要素周波数帯域に対して同様の処理を繰り返す。移動局装置５が基地局装置３より構成された全ての上りリンク要素周波数帯域に対して処理を行なった後、送信処理部４０７は、参照信号選択部４０３ｂで選択された参照用上りリンクパイロットチャネルの上りリンク参照信号の無線リソースが割り当てられた調査参照信号サブフレームで上りリンク参照信号を送信する。
【０１４１】
以上のように、本発明の実施形態では、移動局装置は、基地局装置との接続状態に応じて、各接続状態用のパラメータからなる参照用上りリンクパイロットチャネルの上りリンク参照信号を選択して、送信することにより、移動局装置が各接続状態に適したパラメータの上りリンク参照信号を送信することができる。より詳細には、移動局装置は、基地局装置との同期が維持され、信号の送信用の無線リソースの割り当てが行なわれる第１の接続状態と、基地局装置との同期が維持され、信号の送信用の無線リソースの割り当てが行なわれない第２の接続状態とに適したパラメータの上りリンク参照信号を送信することができる。移動局装置は、第１の接続状態では上りリンクの周波数スケジューリングに適した送信周期の上りリンク参照信号を送信し、第２の接続状態では上りリンクの同期維持に適した送信周期の上りリンク参照信号を送信することができる。
【０１４２】
十分な特性ゲインを得ることができる周波数スケジューリングに要求される上りリンク送信信号の送信周期は、同期維持のためだけに要求される上りリンク送信信号の送信周期よりも一般的に短い。よって、移動局装置は、第１の接続状態用の上りリンク参照信号の送信周期よりも長い送信周期のパラメータを第２の接続状態用の上りリンク参照信号に対して設定することにより、第１の接続状態と比較して第２の接続状態では上りリンク参照信号の送信機会を減らして、第２の接続状態の上りリンク要素周波数帯域で適切に基地局装置と移動局装置間の同期を維持しつつ、他セル干渉を低減することができる。
【０１４３】
移動局装置は、第１の接続状態において上りリンク共用チャネルの無線リソースの割り当てが一定期間の間、行なわれなかった場合に第２の接続状態と判断することにより、第１の接続状態から第２の接続状態に遷移することを示すメッセージを用いずに、第１の接続状態用の上りリンク参照信号と第２の接続状態用の上りリンク参照信号を切り替えて送信することができる。つまり、基地局装置と移動局装置間のメッセージのやり取りを行なうために必要な情報量を削減できる。移動局装置は、予め定められた周波数帯域幅を有する上りリンクの要素周波数帯域毎に接続状態を判断し、上りリンク要素周波数帯域毎に各接続状態用のパラメータからなる参照用上りリンクパイロットチャネルの上りリンク参照信号を選択して、送信することにより、複数の要素周波数帯域で各接続状態に適した参照信号を送信することができる。
【０１４４】
また、第１の接続状態用の参照用上りリンクパイロットチャネルの上りリンク参照信号の送信周期を間引いた送信周期を第２の接続状態用の参照用上りリンクパイロットチャネルの上りリンク参照信号のパラメータとして設定してもよい。図１３Ａおよび図１３Ｂは、第１の接続状態用の参照用上りリンクパイロットチャネルと第２の接続状態用の参照用上りリンクパイロットチャネルの上りリンク参照信号の送信周期の一例を示す図である。なお、説明の簡略化のため、図１３Ａおよび図１３Ｂでは、周期的に配置された調査参照信号サブフレームにおける上りリンク参照信号の送信周期について示す。
【０１４５】
図１３Ａは、第１の接続状態用の参照用上りリンクパイロットチャネルの上りリンク参照信号の送信周期の一例を示す。図１３Ａでは、第１の接続状態用の参照用上りリンクパイロットチャネルは、送信周期として４個の調査参照信号サブフレーム間隔の調査参照信号サブフレーム（調査参照信号サブフレーム１、調査参照信号サブフレーム５、調査参照信号サブフレーム９、調査参照信号サブフレーム１３、調査参照信号サブフレーム１７）に上りリンク参照信号が配置される。
【０１４６】
図１３Ｂは、第２の接続状態用の参照用上りリンクパイロットチャネルの上りリンク参照信号の送信周期の一例を示す。図１３Ｂでは、第２の接続状態用の参照用上りリンクパイロットチャネルは、送信周期として第１の接続状態用の参照用上りリンクパイロットチャネルの上りリンク参照信号の送信周期に対して更に３個の調査参照信号サブフレーム間隔で間引いた調査参照信号サブフレーム（調査参照信号サブフレーム１、調査参照信号サブフレーム１３）に上りリンク参照信号が配置される。
【０１４７】
第１の接続状態用の参照用上りリンクパイロットチャネルの調査参照信号サブフレームにおける上りリンク参照信号の送信周期をＴ＿ｆｉｒｓｔと置き、間引く間隔をＰと置くと、第２の接続状態用の参照用上りリンクパイロットチャネルの調査参照信号サブフレームにおける上りリンク参照信号の送信周期はＴ＿ｆｉｒｓｔ／Ｐとなる。この構成では、第２の接続状態用の参照用上りリンクパイロットチャネルの上りリンク参照信号のパラメータとして、第１の接続状態用の参照用上りリンクパイロットチャネルの上りリンク参照信号の送信周期に対して間引く間隔だけを基地局装置３と移動局装置５間でやり取りするだけでよいので、基地局装置３と移動局装置５間でやり取りを行なう、参照用上りリンクパイロットチャネルの無線リソースの割り当てに関する情報の情報量を低減することができる。なお、上記は、第２の接続状態用の参照用上りリンクパイロットチャネルの上りリンク参照信号の送信周期を第１の接続状態用の参照用上りリンクパイロットチャネルの上りリンク参照信号の送信周期の整数倍とし、且つ上りリンク要素周波数帯域で第１の接続状態の場合であれば配置されるであろう調査参照信号サブフレームの一部に第２の接続状態用の参照用上りリンクパイロットチャネルの上りリンク参照信号を配置すると言い換えることもできる。
【０１４８】
なお、第１の接続状態用の参照用上りリンクパイロットチャネルの上りリンク参照信号と第２の接続状態用の参照用上りリンクパイロットチャネルの上りリンク参照信号に対して同じ周波数位置の上りリンクリソースブロックが用いられてもよい。本発明の実施形態では、第１の接続状態用の参照用上りリンクパイロットチャネルの上りリンク参照信号と第２の接続状態用の参照用上りリンクパイロットチャネルの上りリンク参照信号に対して少なくとも異なる送信周期を用いることを特徴とする。
【０１４９】
また、上記の本発明の実施形態に対して、第１の接続状態用の参照用上りリンクパイロットチャネルの上りリンク参照信号の上りリンクリソースブロックの数を、第２の接続状態用の参照用上りリンクパイロットチャネルの上りリンク参照信号の上りリンクリソースブロックの数と異なる値に設定してもよい。第１の接続状態では、周波数スケジューリングの特性ゲインを得るために、参照用上りリンクパイロットチャネルの上りリンク参照信号に多い数の上りリンクリソースブロックを割り当て、第２の接続状態では、同期ずれを測定するためだけに、参照用上りリンクパイロットチャネルの上りリンク参照信号に少ない数の上りリンクリソースブロックを割り当てることができる。よって、第２の接続状態では、第１の接続状態と比較して参照用上りリンクパイロットチャネルの上りリンク参照信号の上りリンクリソースブロックの数を少なくすることにより、他セル干渉を低減することができる。
【０１５０】
また、第２の接続状態では、参照用上りリンクパイロットチャネルの上りリンク参照信号を送信することは同期ずれを測定することが主目的なので、周波数ホッピングは適用しないようにしてもよい。周波数ホッピングとは、異なる調査参照信号サブフレームで、異なる上りリンクリソースブロックを用いることである。つまり、第２の接続状態用の参照用上りリンクパイロットチャネルの上りリンク参照信号を特定の１個以上の上りリンクリソースブロックに配置し続けてもよい。第１の接続状態では、参照用上りリンクパイロットチャネルの上りリンク参照信号に周波数ホッピングを適用してもよい。
【０１５１】
また、基地局装置３と移動局装置５間で明示的にメッセージのやり取りを行ない、上りリンク要素周波数帯域を第１の接続状態から第２の接続状態に移行するようにしてもよい。この場合、基地局装置３の無線リソース制御部１０３は上りリンク要素周波数帯域を第１の接続状態から第２の接続状態に移行させる旨を示すメッセージを生成し、制御部、送信処理部１０７を介して移動局装置５に通知する。移動局装置５の接続状態判断部は、通知されたメッセージに基づき、上りリンク要素周波数帯域が第１の接続状態か第２の接続状態かを判断する。
【０１５２】
また、上りリンク要素周波数帯域の上りリンク共用チャネルの無線リソース割り当ての情報を含む下りリンク制御チャネルが配置される可能性のある全ての下りリンク要素周波数帯域において、移動局装置５が自装置宛ての制御データを含む下りリンク制御チャネルがあるか否かの監視を行なわない状態になった場合、対応する上りリンク要素周波数帯域を第１の接続状態から第２の接続状態に移行するようにしてもよい。例えば、２個の上りリンク要素周波数帯域（第１の上りリンク要素周波数帯域１、第１の第２の上りリンク要素周波数帯域）、２個の下りリンク要素周波数帯域（下りリンク要素周波数帯域１１、下りリンク要素周波数帯域１２）が移動局装置５に対して構成される場合について説明する。
【０１５３】
第１の上りリンク要素周波数帯域１の上りリンク共用チャネルの無線リソース割り当ての情報を含む下りリンク制御チャネルは、下りリンク要素周波数帯域１１と下りリンク要素周波数帯域１２とで配置される可能性がある。下りリンク要素周波数帯域１１と下りリンク要素周波数帯域１２の両方で移動局装置５が自装置宛ての制御データを含む下りリンク制御チャネルがあるか否かの監視を行なわない状態になった場合、移動局装置５の接続状態判断部は第１の上りリンク要素周波数帯域１を第２の接続状態と判断する。
【０１５４】
また、基地局装置３と移動局装置５間で下りリンク制御チャネルを用いて、上りリンク要素周波数帯域を第２の接続状態から第１の接続状態に移行するようにしてもよい。この場合、基地局装置３の無線リソース制御部１０３は上りリンク要素周波数帯域を第２の接続状態から第１の接続状態に移行させる旨を示す信号を生成して、下りリンク制御チャネルを用いて送信するように制御部を指示し、送信処理部１０７を介して移動局装置５にその下りリンク制御チャネルの信号を送信する。移動局装置５の接続状態判断部は、上りリンク要素周波数帯域を第２の接続状態と判断した後、受信処理部１０１で下りリンク制御チャネルから検出された信号であって、上りリンク要素周波数帯域を第２の接続状態から第１の接続状態に移行させる旨を示す信号を入力された場合に第１の接続状態に移行する。
【０１５５】
なお、本発明は、上記実施形態で説明に用いた上りリンク要素周波数帯域の数から構成される無線通信システム１に限定されない。異なる数の上りリンク要素周波数帯域から構成される無線通信システム１にも適用できる。
【０１５６】
なお、本発明は、上記実施形態で説明に用いた参照用上りリンクパイロットチャネルの上りリンク参照信号の送信周期から構成される無線通信システム１に限定されない。異なる送信周期を用いた無線通信システム１にも適用できる。
【０１５７】
また、移動局装置５が複数の上りリンク要素周波数帯域を同一のリピーターを介して、または基地局装置３と直接通信を行なう場合は、第２の接続状態の上りリンク要素周波数帯域に第２の接続状態用の参照用上りリンクパイロットチャネルを必ずしも設定しなくてもよい。つまり、複数の上りリンク要素周波数帯域の信号の基地局装置３での到来タイミングがほぼ等しい場合、一部の上りリンク要素周波数帯域が第１の接続状態である場合、第２の接続状態の上りリンク要素周波数帯域で参照用上りリンクパイロットチャネルを必ずしも設定しなくてもよい。第２の接続状態の上りリンク要素周波数帯域に対する同期ずれの調整は、第１の接続状態の上りリンク要素周波数帯域で測定された同期ずれに基づき調整されることができる。
【０１５８】
例えば、３個の上りリンク要素周波数帯域（上りリンク要素周波数帯域Ａ、上りリンク要素周波数帯域Ｂ、上りリンク要素周波数帯域Ｃ）が用いられ、上りリンク要素周波数帯域Ａと上りリンク要素周波数帯域Ｂが同一のリピーターを介して基地局装置３と移動局装置５で用いられ、上りリンク要素周波数帯域Ａ（上りリンク要素周波数帯域Ｂ）と上りリンク要素周波数帯域Ｃが異なるリピーターを介して基地局装置３と移動局装置５とで用いられる場合について説明する。上りリンク要素周波数帯域Ａが第１の接続状態、つまり同期が維持されている状態であれば、上りリンク要素周波数帯域Ｂは上りリンク要素周波数帯域Ａで測定された同期ずれに基づき同期を調整されることができ、移動局装置５は第２の接続状態の上りリンク要素周波数帯域Ｂで参照用上りリンクパイロットチャネルの上りリンク参照信号を送信しなくてもよい。その一方、上りリンク要素周波数帯域Ｃでは、上りリンク要素周波数帯域Ａ、または上りリンク要素周波数帯域Ｂで測定された同期ずれに基づき同期を調整されることができないため、第２の接続状態で参照用上りリンクパイロットチャネルの上りリンク参照信号が送信され、送信された上りリンク参照信号に基づき同期ずれが測定され、同期を調整される必要がある。
【０１５９】
また、移動局装置とは、移動する端末に限らず、固定端末に移動局装置の機能を実装することなどにより本発明を実現しても良い。
【０１６０】
以上説明した本発明の特徴的な手段は、集積回路に機能を実装し、制御することによっても実現することができる。すなわち、本発明の集積回路は、複数の移動局装置および複数の移動局装置と信号の送受信を行なう基地局装置から構成される無線通信システムの移動局装置に実装されることにより、移動局装置に複数の機能を発揮させる集積回路であって、基地局装置に対して、複数種類の接続状態のうちいずれか一つの接続状態を取る機能と、基地局装置と移動局装置との接続状態を判断する機能と、各接続状態のそれぞれで使用する参照信号のパラメータを設定する機能と、判断された接続状態に応じて設定された参照信号を選択する機能と、選択された参照信号を基地局装置に対して送信する機能と、を含む一連の機能を、移動局装置に発揮させることを特徴とする。
【０１６１】
このように、本発明の集積回路を用いた移動局装置は、基地局装置との接続状態を判断し、判断した接続状態用のパラメータを設定した参照用上りリンクパイロットチャネルの上りリンク参照信号を選択して、送信することにより、各接続状態に適した上りリンク参照信号を送信することができる。
【０１６２】
また、本発明の集積回路は、複数の移動局装置および複数の移動局装置と信号の送受信を行なう基地局装置から構成される無線通信システムの移動局装置に実装されることにより、移動局装置に複数の機能を発揮させる集積回路であって、基地局装置との同期が維持され信号の送信用の無線リソースの割り当てが行なわれる第１の接続状態、または基地局装置との同期が維持され信号の送信用の無線リソースの割り当てが行なわれない第２の接続状態のいずれの接続状態であるかを判断する機能と、各接続状態のそれぞれで使用する参照信号のパラメータを設定する機能と、判断された接続状態に応じて設定された参照信号を選択する機能と、選択された参照信号を基地局装置に対して送信する機能と、を含む一連の機能を、移動局装置に発揮させることを特徴とする。
【０１６３】
このように、本発明の集積回路を用いた移動局装置は、基地局装置との同期が維持され、信号の送信用の無線リソースの割り当てが行なわれる第１の接続状態と、基地局装置との同期が維持され、信号の送信用の無線リソースの割り当てが行なわれない第２の接続状態の何れの接続状態であるかを判断し、判断した接続状態用のパラメータを設定した参照用上りリンクパイロットチャネルの上りリンク参照信号を選択して、送信することにより、第１の接続状態と第２の接続状態に適した上りリンク参照信号を送信することができる。移動局装置は、第１の接続状態では上りリンクの周波数スケジューリングに適した送信周期の上りリンク参照信号を送信し、第２の接続状態では上りリンクの同期維持に適した送信周期の上りリンク参照信号を送信することができる。
【０１６４】
本発明に関わる移動局装置および基地局装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１６５】
また市場に流通させる場合には、可搬型の記録媒体にプログラムを格納して流通させたり、インターネット等のネットワークを介して接続されたサーバコンピュータに転送することができる。この場合、サーバコンピュータの記憶装置も本発明に含まれる。また、上述した実施形態における移動局装置および基地局装置の一部、または全部を典型的には集積回路であるＬＳＩとして実現してもよい。移動局装置および基地局装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１６６】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１６７】
１  無線通信システム
３  基地局装置
４Ａ〜４Ｃ  リピーター
５、５Ａ〜５Ｃ  移動局装置
１０１  受信処理部
１０３  無線リソース制御部
１０５  制御部
１０７  送信処理部
１０９  受信アンテナ
１１１  送信アンテナ
４０１  受信処理部
４０３  制御部
４０３ａ  接続状態判断部
４０３ｂ  参照信号選択部
４０５  無線パラメータ制御部
４０７  送信処理部
４１１  受信アンテナ
４１３  送信アンテナ
【図１】
2011142498.tif 000003
【図２】
2011142498.tif 000004
【図３】
2011142498.tif 000005
【図４】
2011142498.tif 000006
【図５】
2011142498.tif 000007
【図６】
2011142498.tif 000008
【図７】
2011142498.tif 000009
【図８】
2011142498.tif 000010
【図９】
2011142498.tif 000011
【図１０】
2011142498.tif 000012
【図１１Ａ】
2011142498.tif 000013
【図１１Ｂ】
2011142498.tif 000014
【図１２】
2011142498.tif 000015
【図１３Ａ】
2011142498.tif 000016
【図１３Ｂ】
2011142498.tif 000017